(57)【要約】患者流量と患者圧力との交差相関から決定される患者動作に基づき始動し、周期動作を行い又はこれらの両方を行う医療用人工呼吸装置及び人工呼吸法。また、医療用人工呼吸装置を制御して、呼吸周期の呼気段階が進行するときに、患者始動トリガーに対する感度を増加させる。また、本発明は、周期化動作を最適化する周期化基準を適用可能に調整する。【選択図】図１
2004512065.tif 000002
【特許請求の範囲】
【請求項１】
呼吸用気体流を供給する気体流発生装置（３２）と、
気体流発生装置に接続され、かつ患者に供給される呼吸用気体の流量を制御信号に応答して制御する気体流コントローラと、
気体流発生装置に連結され、かつ患者の気道に呼吸用気体流を連絡する患者管路（５０）と、
患者管路の呼吸用気体の流量を測定して、測定された流量を示す第１の流量信号を出力する流量センサ（３８）と、
患者管路の呼吸用気体流の圧力を測定して、測定された圧力を示す第１の圧力信号を出力する圧力センサ（６０）と、
患者管路内から周辺大気に気体を連絡する排出アセンブリ（５６）と、
第１の流量信号及び第１の圧力信号を受信して、圧力発生器により患者管路に供給される呼吸用気体の流量を制御し、これにより患者の気道の呼吸用気体流を制御する制御信号を出力するコントローラ（４６）とを備え、コントローラは、第１の流量信号及び第１の圧力信号の両方により決定される患者の吸気運動に基づき、患者の呼吸周期の吸気段階の開始を検出して、呼吸用気体の吸気流を始動することを特徴とする患者呼吸用気体流供給システム（３０）。
【請求項２】
気体流発生装置は、
呼吸用気体供給源から呼吸用気体の供給を受けて、呼吸用気体流を送出する送風機（３４）と、
送風機に連絡され、かつ流量制御信号に応答して呼吸用気体流の速度を制御する流量コントローラ（３６）とを備える請求項１に記載の患者呼吸用気体流供給システム。
【請求項３】
流量コントローラは、送風機の下流の患者管路内に配置される流量制御弁（３６）であり、流量制御信号に応答して、患者管路の気体の流量を制限することにより呼吸用気体流の速度を制御する請求項２に記載の患者呼吸用気体流供給システム。
【請求項４】
流量センサは、気体流発生装置の近位の患者管路内に配置される請求項１に記載の患者呼吸用気体流供給システム。
【請求項５】
患者管路は、気体流発生装置及び第２の端部に作動接続される第１の端部を有する第１のアーム（５２）と、排出アセンブリ及び第２の端部に作動接続される第１の端部を有する第２のアーム（５４）とを備える２アーム回路であり、第１のアーム及び第２のアームの各第２の端部は、人工呼吸器により換気される患者に応答して、患者の気道の近位に配置される請求項１に記載の患者呼吸用気体流供給システム。
【請求項６】
排出アセンブリは、コントローラにより供給された排出流量制御信号に応答して、患者管路からの排出気体流の速度を制御する流量コントローラ（６４）を含む請求項５に記載の患者呼吸用気体流供給システム。
【請求項７】
患者管路に第２の気体流を供給する第２の気体流量システム（６６）を備え、
第２の気体流システムは、
第２の気体流の供給源から患者管路に第２の気体流を連絡するように形成され配置される導管と、
導管の第２の気体の流量を測定して、測定された流量を示す第２の流量の信号を出力する流量センサ（７０）とを備える請求項１に記載の患者呼吸用気体流供給システム。
【請求項８】
コントローラは、第１の流量信号及び第１の圧力信号の少なくとも１つに基づき、呼吸用気体の吸気流の始動を防止する呼吸周期の各呼気段階の時間間隔であるトリガーロックアウト間隔を確定する請求項１に記載の患者呼吸用気体流供給システム。
【請求項９】
コントローラは、
Ｑｐａｔｉｅｎｔを第１の流量信号からの現在の患者流量とし、Ｑｒｅｆをトリガー時間幅の開始時に第１の流量信号から決定される基準患者流量とすると、患者流量差（Ｑｐａｔｉｅｎｔ−Ｑｒｅｆ）を決定し、
Ｐｐａｔｉｅｎｔを第１の圧力信号からの現在の患者圧力とし、Ｐｒｅｆをトリガー時間幅の開始時に第１の圧力信号から決定される基準患者圧力とすると、患者圧力差（Ｐｒｅｆ−Ｐｐａｔｉｅｎｔ）を決定し、
患者流量差と患者圧力差との積として、患者吸気運動を決定し、閾値を超える患者の吸気運動に応答して吸気流を始動する請求項１に記載の患者呼吸用気体流供給システム。
【請求項１０】
コントローラは、
Ｑｐａｔｉｅｎｔを第１の流量信号からの現在の患者流量とし、Ｑｒｅｆをトリガー時間幅の開始時に第１の流量信号から決定される基準患者流量とすると、患者流量差（Ｑｐａｔｉｅｎｔ−Ｑｒｅｆ）を決定し、
第１の圧力信号からの現在の患者圧力をＰｐａｔｉｅｎｔとし、Ｐｒｅｆをトリガー時間幅の開始時に第１の圧力信号から決定される基準患者圧力とすると、患者圧力差（Ｐｒｅｆ−Ｐｐａｔｉｅｎｔ）を決定し、
患者流量差と患者圧力差との積として、患者吸気運動を決定し、
時間間隔にわたって蓄積された患者の吸気運動を合計し、
閾値を超える時間間隔にわたって患者の吸気運動の合計に応答して吸気流を始動する請求項１に記載の患者呼吸用気体流供給システム。
【請求項１１】
時間間隔は固定された持続時間を有する請求項１０に記載の患者呼吸用気体流供給システム。
【請求項１２】
コントローラは、
第１の圧力信号からの現在の患者圧力をＰｐａｔｉｅｎｔとし、Ｐｒｅｆをトリガー時間幅の開始時に第１の圧力信号から決定される基準患者圧力とすると、患者圧力差（Ｐｒｅｆ−Ｐｐａｔｉｅｎｔ）を決定し、
適時の患者圧力差を遅延させて、遅延患者圧力差を決定し、
第１の流量信号からの現在の患者流量と患者吸気運動としての遅延患者圧力差との積を決定し、
時間間隔にわたって蓄積された患者の吸気運動を合計し、閾値を超える患者の吸気運動の合計に応答して吸気流を始動する請求項１に記載の患者呼吸用気体流供給システム。
【請求項１３】
コントローラは、患者の呼吸周期の呼気段階の開始を検出して、吸気流を供給することから、第１の流量信号及び第１の圧力信号の両方により決定される患者の呼気運動に基づき、排出アセンブリによる呼吸用気体の呼気流を流通させることまでの周期動作を行う請求項１に記載の患者呼吸用気体流供給システム。
【請求項１４】
コントローラは、Ｑｐａｔｉｅｎｔを第１の流量信号からの現在の患者流量とし、Ｑｒｅｆを周期動作時間幅の開始時に第１の流量信号から決定される基準患者流量とすると、患者流量差（Ｑｒｅｆ−Ｑｐａｔｉｅｎｔ）を決定し、
Ｐｐａｔｉｅｎｔを第１の圧力信号からの現在の患者圧力とし、Ｐｒｅｆを周期動作時間幅の開始時に第１の圧力信号から決定される基準患者圧力とすると、患者圧力差（Ｐｐａｔｉｅｎｔ−Ｐｒｅｆ）を決定し、
患者流量差と患者圧力差との積として、患者吸気運動を決定し、
吸気流を供給することから、閾値を超える患者の呼気運動に応答して排出アセンブリによる呼吸用気体の呼気流を流通させることまでの周期動作を行う請求項１３に記載の患者呼吸用気体流供給システム。
【請求項１５】
コントローラは、Ｐｐａｔｉｅｎｔを第１の圧力信号からの現在の患者圧力とし、Ｐｒｅｆを周期動作時間幅の開始時に第１の圧力信号から決定される基準患者圧力とすると、患者圧力差（Ｐｐａｔｉｅｎｔ−Ｐｒｅｆ）を決定し、
第１の流量信号から患者流量を遅延させて、遅延患者流量を決定し、
現在の患者圧力差と患者呼気運動としての遅延患者流量との積を決定し、
時間間隔にわたって蓄積された患者の吸気運動を合計し、
吸気流を供給することから、閾値を超える患者の呼気運動の合計に応答して排出アセンブリによる呼吸用気体の呼気流を流通させることまでの周期動作を行う請求項１３に記載の患者呼吸用気体流供給システム。
【請求項１６】
コントローラは、Ｑｐａｔｉｅｎｔを第１の流量信号からの現在の患者流量とし、Ｑｒｅｆを周期動作時間幅の開始時に第１の流量信号から決定される基準患者流量とすると、患者流量差（Ｑｒｅｆ−Ｑｐａｔｉｅｎｔ）を決定し、
Ｐｐａｔｉｅｎｔを第１の圧力信号からの現在の患者圧力とし、Ｐｒｅｆを周期動作時間幅の開始時に第１の圧力信号から決定される基準患者圧力とすると、患者圧力差（Ｐｐａｔｉｅｎｔ−Ｐｒｅｆ）を決定し、
患者流量差と患者圧力差との積として、患者呼気運動を決定し、
時間間隔にわたって蓄積された患者の呼気運動を合計し、
吸気流を供給することから、閾値を超える時間間隔にわたって患者の呼気運動の合計に応答して排出アセンブリによる呼吸用気体の呼気流を流通させることまでの周期動作を行う請求項１３に記載の患者呼吸用気体流供給システム。
【請求項１７】
時間間隔は固定された持続時間を有する請求項１６に記載の患者呼吸用気体流供給システム。
【請求項１８】
コントローラは、吸気流の供給することから、周期閾値流量以下に低下する患者流量に応答して、第１の流量信号から決定される患者流量と周期閾値流量及び複数の周期とを比較することにより、排出アセンブリによる呼吸用気体の呼気流を流通させることまでの周期動作を行う請求項１に記載の患者呼吸用気体流供給システム。
【請求項１９】
コントローラは、
吸気段階の終端部で第１の圧力信号により患者圧力を監視し、呼気段階の開始部で第１の流量信号により患者流量を監視して、システムの循環が早過ぎ又は遅過ぎるかを決定し、
システムの循環が早過ぎ又は遅過ぎるかの決定に応答して、次の呼吸周期に対して周期閾値流量を調整する請求項１８に記載の患者呼吸用気体流供給システム。
【請求項２０】
呼吸用気体流を供給する気体流発生装置（３２）と、
気体流発生装置に接続され、かつ患者に供給される呼吸用気体の流量を制御信号に応答して制御する気体流コントローラと、
気体流発生装置に連結され、かつ患者の気道に呼吸用気体流を連絡する患者管路（５０）と、
患者管路の呼吸用気体の流量を測定して、測定された流量を示す第１の流量信号を出力する流量センサ（３８）と、
患者管路の呼吸用気体流の圧力を測定して、測定された圧力を示す第１の圧力信号を出力する圧力センサ（６０）と、
患者管路内から周辺大気に気体を連絡する排出アセンブリ（５６）と、
第１の流量信号及び第１の圧力信号を受信して、圧力発生器により患者管路に供給される呼吸用気体の流量を制御し、これにより患者の気道の呼吸用気体流により制御信号を出力するコントローラ（４６）とを備え、コントローラは、呼吸周期の呼気段階にわたって複数のトリガー機構を作動状態にして、
呼吸周期進行の呼気段階として、人工呼吸器システムの感度を患者の初期トリガーに増加させることを特徴とする患者呼吸用気体流供給システム。
【請求項２１】
呼吸気体流を生成する過程と、
患者管路を通じて呼吸気体流を患者に供給する過程と、
制御信号に応答して患者に供給され呼吸気体流を制御する過程と、
患者管路の呼吸流量を測定して、測定された呼吸流量を示す第１の流量信号を出力する過程と、
患者管路の呼吸気体流の圧力を測定して、測定された圧力を示す第１の圧力信号を出力する過程と、
患者管路内から周辺大気に気体を連絡する過程と、
第１の流量信号及び第１の圧力信号の両方により決定される患者の吸気運動に基づき、患者の呼吸周期の吸気段階の開始を検出して呼吸気体流を始動する過程を含むことを特徴とする患者呼吸用気体流供給法。
【請求項２２】
吸気段階の開始を検出する過程は、
Ｑｐａｔｉｅｎｔを第１の流量信号からの現在の患者流量とし、Ｑｒｅｆをトリガー時間幅の開始時に第１の流量信号から決定される基準患者流量とすると、患者流量差（Ｑｐａｔｉｅｎｔ−Ｑｒｅｆ）を決定する過程と、
Ｐｐａｔｉｅｎｔを第１の圧力信号からの現在の患者圧力とし、Ｐｒｅｆをトリガー時間幅の開始時に第１の圧力信号から決定される基準患者圧力とすると、患者圧力差（Ｐｒｅｆ−Ｐｐａｔｉｅｎｔ）を決定する過程と、
患者流量差と患者圧力差との積として患者の吸気運動を決定する過程とを含む請求項２１に記載の患者呼吸用気体流供給法。
【請求項２３】
閾値を超える患者の吸気運動に応答して吸気流を始動する過程を含む請求項２２に記載の患者呼吸用気体流供給法。
【請求項２４】
吸気段階の開始を検出する過程は、
Ｑｐａｔｉｅｎｔを第１の流量信号からの現在の患者流量とし、Ｑｒｅｆをトリガー時間幅の開始時に第１の流量信号から決定される基準患者流量とすると、患者流量差（Ｑｐａｔｉｅｎｔ−Ｑｒｅｆ）を決定する過程と、
Ｐｐａｔｉｅｎｔを第１の圧力信号からの現在の患者圧力とし、Ｐｒｅｆをトリガー時間幅の開始時に第１の圧力信号から決定される基準患者圧力とすると、患者圧力差（Ｐｒｅｆ−Ｐｐａｔｉｅｎｔ）を決定する過程と、
患者流量差と患者圧力差との積として患者の吸気運動を決定する過程と、
時間間隔にわたって蓄積された患者の吸気運動を合計する過程と、閾値を超える時間間隔にわたって患者の吸気運動の合計に応答して吸気流を始動する過程とを含む請求項２１に記載の患者呼吸用気体流供給法。
【請求項２５】
時間間隔は固定された持続時間を有する請求項２４に記載の患者呼吸用気体流供給法。
【請求項２６】
吸気段階の開始を検出する過程は、
Ｐｐａｔｉｅｎｔを第１の圧力信号からの現在の患者圧力とし、Ｐｒｅｆをトリガー時間幅の開始時に第１の圧力信号から決定される基準患者圧力とすると、患者圧力差（Ｐｒｅｆ−Ｐｐａｔｉｅｎｔ）を決定する過程と、
遅延患者圧力差を決定して、圧力降下の開始と吸気の開始に発生する患者流量の上昇との間の固有の生理学的遅延を説明するように遅延の長さが選択される過程と、
第１の流量信号からの現在の患者流量と、患者の吸気運動としての遅延患者圧力差との積を決定する過程と、
時間間隔にわたって蓄積された患者の吸気運動を合計する過程と、
閾値を超える患者の吸気運動の合計に応答して吸気流を始動する過程とを含む請求項２１に記載の患者呼吸用気体流供給法。
【請求項２７】
患者の呼吸周期の呼気段階の開始を検出して、吸気流を供給することから、患者の呼気運動に基づき排出アセンブリによる呼吸用気体の呼気流を流通させることまでの周期動作を行う過程と、呼気段階の開始を検出する過程は、第１の流量信号及び第１の圧力信号の両方により決定される過程を含む請求項２１に記載の患者呼吸用気体流供給法。
【請求項２８】
呼気段階の開始を検出する過程は、
Ｑｐａｔｉｅｎｔを第１の流量信号からの現在の患者流量とし、Ｑｒｅｆを周期動作時間幅の開始時に第１の流量信号から決定される基準患者流量とすると、患者流量差（Ｑｒｅｆ−Ｑｐａｔｉｅｎｔ）を決定する過程と、
Ｐｐａｔｉｅｎｔを第１の圧力信号からの現在の患者圧力とし、Ｐｒｅｆを周期動作時間幅の開始時に第１の圧力信号から決定される基準患者圧力とすると、患者圧力差（Ｐｐａｔｉｅｎｔ−Ｐｒｅｆ）を決定する過程と、
患者流量差と患者圧力差との積として、患者呼気運動を決定する過程と、
吸気流を供給することから、閾値を超える患者の呼気運動に応答して、排出アセンブリによる呼吸用気体の呼気流を流通させることまでの周期動作を行う過程とを含む請求項２７に記載の患者呼吸用気体流供給法。
【請求項２９】
Ｐｐａｔｉｅｎｔを第１の圧力信号からの現在の患者圧力とし、Ｐｒｅｆを周期動作時間幅の開始時に第１の圧力信号から決定される基準患者圧力とすると、患者圧力差（Ｐｐａｔｉｅｎｔ−Ｐｒｅｆ）を決定する過程と、
第１の流量信号から患者流量を遅延させて、遅延患者流量を決定する過程と、
現在の患者圧力差と患者呼気運動としての遅延患者流量との積を決定する過程と、
時間間隔にわたって蓄積された患者の吸気運動を合計する過程と、
吸気流を供給することから、閾値を超える患者の呼気運動の合計に応答して、排出アセンブリによる呼吸用気体の呼気流を流通させることまでの周期動作を行う過程とを含む請求項２７に記載の患者呼吸用気体流供給法。
【請求項３０】
呼気段階の開始を検出する過程は、
Ｑｐａｔｉｅｎｔを第１の流量信号からの現在の患者流量とし、Ｑｒｅｆを周期動作時間の開始時に第１の流量信号から決定される基準患者流量とすると、患者流量差（Ｑｒｅｆ−Ｑｐａｔｉｅｎｔ）を決定する過程と、
Ｐｐａｔｉｅｎｔを第１の圧力信号からの現在の患者圧力とし、Ｐｒｅｆを周期動作時間の開始時に第１の圧力信号から決定される基準患者圧力とすると、患者圧力差（Ｐｐａｔｉｅｎｔ−Ｐｒｅｆ，）を決定する過程と、
患者流量差と患者圧力差との積として患者呼気動作を決定する過程と、
時間間隔にわたり蓄積された患者呼気動作の合計を算出する過程と、
吸気流量を供給することから時間間隔にわたり閾値を越える患者の呼気動作の合計に応答して排出アセンブリから呼吸用気体の呼気流を流通させることまでの周期動作を行う過程とを含む請求項２７に記載の方法。
【請求項３１】
時間間隔は固定された持続時間である請求項３０に記載の方法。
【請求項３２】
コントローラは、吸気流量を供給することから、周期閾値流量に対して第１の信号から決定される患者流量を比較して、呼気アセンブリから呼吸用気体の呼気流を流通させることまでの周期動作を行い、周期閾値流量より下方の患者流量に応答して周期動作を行う請求項２１に記載の方法。
【請求項３３】
吸気段階の終端部で第１の圧力信号を経て患者圧力を監視する過程と、
呼気段階の初端部で第１の流量信号を経て患者流量を監視する過程と、
吸気段階の終端で監視した患者圧力に基づきシステムの周期動作が遅過ぎたか否かを決定する過程と、
呼気段階の初端部で監視した患者流量に基づきシステムの周期動作が早過ぎたか否かを決定する過程と、
システムが早過ぎるか又は遅過ぎて周期動作を行う決定に対応して、次の呼吸周期に対し周期閾値流量を調節する過程とを含む請求項３２に記載の方法。
【請求項３４】
呼吸用気体流を発生する過程と、
患者管路を経て患者に呼吸用気体流を供給する過程と、
制御信号に応答して患者に供給される呼吸用気体流を制御する過程と、
患者管路内の呼吸用気体流の流量を測定して、流量を表す第１の流量信号を出力する過程と、
患者管路内の呼吸用気体流の圧力を測定して、圧力を表す第１の圧力信号を出力する過程と、
患者管路内から気体を周辺大気に連絡させる過程と、
呼吸周期の呼気段階にわたり複数のトリガー機構を作動させて、呼吸用周期の呼気段階が進行するとき、患者始動トリガーに対する感度を増加させる過程とを含むことを特徴とする患者に呼吸用気体流を供給する方法。
【請求項３５】
呼吸用気体流を発生する気体流発生器（３２）と、
気体流発生器に接続されかつ制御信号に応答して患者に供給される呼吸用気体流を制御する気体流コントローラと、
気体流発生器に接続されかつ呼吸用気体流を患者の気道に連絡する患者管路（５０）と、
患者管路内の呼吸用気体流の流量を測定し、流量を表す第１の流量信号を出力する流量センサ（３８）と、
患者管路内の呼吸用気体流の圧力を測定し、圧力を表す第１の圧力信号を出力する圧力センサ（６０）と、
患者管路内の気体を周辺大気に連絡する排出アセンブリ（５６）と、
第１の流量信号及び第１の圧力信号を受信して、圧力発生器により患者管路に供給される呼吸用気体流の流量を制御しかつ患者の気道での呼吸用気体の流量を制御する制御信号を発生するコントローラ（４６）とを備え、コントローラは、患者の呼吸周期の呼気段階の開始を検出して、第１の流量信号及び第１の圧力信号の両方に基づいて決定される患者呼気動作に基づいて呼吸用気体の呼気流を循環させることを特徴とする患者に呼吸用気体流を供給する装置。
【請求項３６】
コントローラは、Ｑｐａｔｉｅｎｔを第１の流量信号から得られる現在の患者流量とし、Ｑｒｅｆを周期動作期間の開始時の第１の流量信号から決定される基準患者流量とすると、患者流量差（Ｑｒｅｆ−Ｑｐａｔｉｅｎｔ）を決定し、
Ｐｐａｔｉｅｎｔを第１の圧力信号から得られる現在の患者圧力とし、Ｐｒｅｆを周期動作期間の開始時に第１の圧力信号から決定される基準患者圧力とすると、患者圧力差（Ｐｐａｔｉｅｎｔ−Ｐｒｅｆ）を決定し、
患者流量差と患者圧力差との積として患者呼気動作を決定し、
吸気流量を供給することから閾値を越える患者の呼気動作に応答して排出アセンブリから呼吸用気体の呼気流を流通させることまでの周期動作を行う請求項３５に記載の装置。
【請求項３７】
コントローラは、
Ｐｐａｔｉｅｎｔを第１の圧力信号から得られる現在の患者圧力とし、Ｐｒｅｆを周期動作期間の開始時に第１の圧力信号から決定される基準患者圧力とすると、患者圧力差（Ｐｐａｔｉｅｎｔ−Ｐｒｅｆ）を決定し、
第１の流量信号からの患者流量を遅延させて、遅延された患者流量を決定し、
現在の患者圧力差と遅延患者流量との積を患者の吸気動作として決定し、
時間間隔にわたり蓄積された患者吸気動作を合計し、かつ
吸気流量を供給することから閾値を越える患者の呼気動作の合計に応答して排出アセンブリから呼吸用気体の呼気流を流通させることまでの周期動作を行う請求項３５に記載の装置。
【請求項３８】
コントローラは、
Ｑｐａｔｉｅｎｔを第１の流量信号から得られる現在の患者流量とし、Ｑｒｅｆを周期動作期間の開始時の第１の流量信号から決定される基準患者流量とすると、患者流量差（Ｑｒｅｆ−Ｑｐａｔｉｅｎｔ）を決定し、
Ｐｐａｔｉｅｎｔを第１の圧力信号から得られる現在の患者圧力とし、Ｐｒｅｆを周期動作期間の開始時に第１の圧力信号から決定される基準患者圧力とすると、患者圧力差（Ｐｐａｔｉｅｎｔ−Ｐｒｅｆ）を決定し、
患者流量差と患者圧力差の積として患者呼気動作を決定し、
時間間隔にわたり蓄積される患者呼気動作を合計し、
吸気流量を供給することから時間間隔にわたり閾値を越える患者の呼気動作の合計に応答して排出アセンブリから呼吸用気体の呼気流を流通させることまでの周期動作を行う請求項３５に記載の装置。
【請求項３９】
時間間隔は固定された持続時間である請求項３８に記載の装置。
【請求項４０】
呼吸用気体流を発生する過程と、
患者管路を経て患者に呼吸用気体流を供給する過程と、
制御信号に応答して患者に供給される呼吸用気体流の流量を制御する過程と、
患者管路内の呼吸用気体流の流量を測定して、流量を表す第１の流量信号を出力する過程と、
患者管路内の呼吸用気体流の圧力を測定して、圧力を表す第１の圧力信号を出力する過程と、
患者管路内から呼吸用気体を周辺大気に連絡する過程と、
患者の呼吸周期の呼気段階の開始を検出して、第１の流量信号及び第１の圧力信号に基づいて決定される患者の呼気動作に基づき、呼吸用気体の呼気流を周期動作させる過程とを含むことを特徴とする患者に呼吸用気体流を供給する方法。
【請求項４１】
呼気段階の開始を検出する過程は、
Ｑｐａｔｉｅｎｔを第１の流量信号から得られる現在の患者流量とし、Ｑｒｅｆを周期動作期間の開始時の第１の流量信号から決定される基準患者流量とすると、患者流量差（Ｑｒｅｆ−Ｑｐａｔｉｅｎｔ）を決定する過程と、
Ｐｐａｔｉｅｎｔを第１の圧力信号から得られる現在の患者圧力とし、Ｐｒｅｆを周期動作期間の開始時に第１の圧力信号から決定される基準患者圧力とすると、患者圧力差（Ｐｐａｔｉｅｎｔ−Ｐｒｅｆ）を決定する過程と、
患者流量差と患者圧力差の積として患者呼気動作を決定する過程と、
吸気流量を供給することから閾値を越える患者の呼気動作の合計に応答して排出アセンブリから呼吸用気体の呼気流を流通させることまでの周期動作を行う過程とを含む請求項４０に記載の方法。
【請求項４２】
呼気段階の開始を決定する過程は、
Ｐｐａｔｉｅｎｔを第１の圧力信号から得られる現在の患者圧力とし、Ｐｒｅｆを周期動作期間の開始時に第１の圧力信号から決定される基準患者圧力とすると、患者圧力差（Ｐｐａｔｉｅｎｔ−Ｐｒｅｆ）を決定する過程と、
第１の流量信号からの患者流量を遅延させて、遅延された患者流量を決定する過程と、
現在の患者圧力差と遅延された患者流量との積を患者の吸気動作として決定する過程と、
時間間隔にわたり蓄積された患者吸気動作を合計する過程と、
吸気流量を供給することから閾値を越える患者の呼気動作の合計に応答して排出アセンブリから呼吸用気体の呼気流を流通させることまでの周期動作を行う請求項４０に記載の方法。
【請求項４３】
呼気段階の開始を検出する過程は、
呼気段階の開始を検出する過程は、
Ｑｐａｔｉｅｎｔを第１の流量信号から得られる現在の患者流量とし、Ｑｒｅｆを周期動作期間の開始時の第１の流量信号から決定される基準患者流量とすると、患者流量差（Ｑｒｅｆ−Ｑｐａｔｉｅｎｔ）を決定する過程と、
Ｐｐａｔｉｅｎｔを第１の圧力信号から得られる現在の患者圧力とし、Ｐｒｅｆを周期動作期間の開始時に第１の圧力信号から決定される基準患者圧力とすると、患者圧力差（Ｐｐａｔｉｅｎｔ−Ｐｒｅｆ）を決定する過程と、
患者流量差と患者圧力差の積として患者呼気動作を決定する過程と、
時間間隔にわたり蓄積された患者の呼気動作を合計する過程と、
吸気流量を供給することから時間間隔にわたり閾値を越える患者の呼気動作の合計に応答して排出アセンブリから呼吸用気体の呼気流を流通させることまでの周期動作を行う過程とを含む請求項４０に記載の方法。
【請求項４４】
時間間隔は固定された持続時間である請求項４０に記載の方法。
【請求項４５】
呼吸用気体流を発生する気体流発生器（３２）と、
気体流発生器に接続されかつ制御信号に応答して患者に供給される呼吸用気体流を制御する気体流コントローラと、
気体流発生器に接続されかつ呼吸用気体流を患者の気道に連絡する患者管路（５０）と、
患者管路内の呼吸用気体流の流量を測定し、流量を表す第１の流量信号を出力する流量センサ（３８）と、
患者管路内の呼吸用気体流の圧力を測定し、圧力を表す第１の圧力信号を出力する圧力センサ（６０）と、
患者管路内の気体を周辺大気に連絡する排出アセンブリ（５６）と、
第１の流量信号及び第１の圧力信号を受信して、患者の呼吸周期の呼気段階の開始を検出するコントローラ（４６）とを備え、
コントローラ（４６）は、吸気流を供給することから周期閾値流量以下に該当する第１の流量信号から決定される患者流量に応答して、排出アセンブリから呼吸用気体の呼気流を流通させて、コントローラは、吸気段階の終端で第１の圧力信号を経て患者圧力を監視し、システムの周期動作が遅過ぎるか否かを決定すると共に、呼気段階の始端で第１の流量信号を経て患者流量を監視し、システムの周期動作が早すぎるか否かを決定し、コントローラは、システムの周期動作が早過ぎるか又は遅過ぎる決定に応答して、次の呼吸周期に対して周期閾値流量を調整することを特徴とする患者に呼吸用気体を供給する装置。
【請求項４６】
呼吸用気体流を発生する過程と、
患者管路を経て患者に呼吸用気体流を供給する過程と、
制御信号に応答して患者に供給される呼吸用気体流を制御する過程と、
患者管路内の呼吸用気体流の流量を測定して、流量を表す第１の流量信号を出力する過程と、
患者管路内の呼吸用気体流の圧力を測定し、圧力を表す第１の圧力信号を出力する過程と、
患者管路内からの呼吸用気体を周辺大気に連絡する過程と、
患者呼吸周期の呼気段階の開始を検出して、吸気流を供給することから第１の流量信号から決定される患者流量を周期閾値流量と比較することにより、排出アセンブリから呼吸用気体の呼気流量を流通させる過程と、
吸気流を供給することから、周期閾値流量より下方に該当する患者流量に応答して、排出アセンブリから呼吸用気体の呼気流を流通させる過程と、
吸気段階の終端で患者圧力に基づきシステムの周期動作が遅過ぎたか否かを決定する過程と、
呼気段階の始端で患者流量に基づき、システムの周期動作が早過ぎたか否かを決定する過程と、
システムの周期動作が早過ぎたか又は遅過ぎたかの決定に応答して、次の呼吸周期に対する周期閾値流量を調節する過程とを含むことを特徴とする患者に呼吸用気体流を供給する方法。
【発明の詳細な説明】
【０００１】
発明の背景
１．発明の属する分野
本発明は、改良された自発的な始動及び周期動作を行う医学的人工呼吸器並びにこの種の人工呼吸器を始動しかつ周期的動作を行う改良された方法に関連する。特に、本発明は以下の特徴のうちの１つ以上を有する人工呼吸器に関連する：（１）呼吸周期の呼気段階が進行するとき、患者始動トリガーに対する感度の増大、（２）周期動作動作を最適化する周期動作基準の適応調整、及び（３）交差相関のある多数の患者媒介変数から決定される患者の運動に基づく始動、周期動作又は両方。
【０００２】
２．関連技術の説明
例えば酸素、空気又は他の酸素若しくは呼吸用気体混合物等の気体を患者の気道に送出する従来の人工呼吸器又は圧力支援装置を利用して、患者自身の換気運動を増加し又は代理することは公知である。また、様々な動作モードで従来の人工呼吸器を作動させて、人工呼吸器の下記の基本的４動作を制御することも公知である：１）換気周期の呼気段階から吸気段階に移行する開始時点；２）人工呼吸器が呼吸気体流を送出する吸気段階；３）吸気段階から呼気段階に移行する周期時点；及び４）呼気段階。人工呼吸器が前記４動作の１つ又はそれ以上をどのように実行するかを制御するために代表的に監視しかつ使用する４つの主要な変数又は媒介変数がある。前記変数は、患者に対して進退する気体の体積、圧力、流量及び時間である。
【０００３】
患者による自発的な呼吸動作が実質的に存在しない典型的な生命支援状況では、人工呼吸機能が制御されたモードで実行され、人工呼吸器は、患者の肺換気に対する全責任を負う。この換気モードでは、人工呼吸器の開始時点及び周期時点は、時間に基づき決定される。ある程度の自発的な呼吸動作を患者が示す他の状況では、典型的に換気援助モード又は換気支援モードが設けられる。前記換気援助モードと換気支援モードの両方により、人工呼吸器は、患者自身の呼吸動作を増大し又は援助する。援助モードでは、人工呼吸器トリガー時点は、患者の動作に基づき決定され、周期時点は、時間に基づき決定される。換気支援モードでは、開始時点及び周期時点は、患者に基づき、時間には基づかない。換気援助／制御モードと称される前記２つの組合せモードを使用することも公知である。この換気援助／制御モードでは、患者が一定期間の間だけ呼吸動作を行わない場合にのみ、人工呼吸器は吸気流を起動する。このように、特定の期間以内に患者の活動がない場合、起動時点は、患者活動か閉路時間に基づく。
【０００４】
換気援助モード、換気支援モード及び換気援助／制御モードでは、患者が吸気運動を開始する時点又はその付近で、人工呼吸器が、呼吸用気体の吸気流を起動させ、適当な時点、好ましくは患者が、呼吸周期の呼気段階を開始するときに、呼吸周期の呼気段階に回帰するように、人工呼吸器の動作を患者の自発的な呼吸運動に同期させることが重要である。換気援助モード、換気支援モード又は換気援助／制御モードで動作する従来の人工呼吸器は、例えば圧力、流量又は体積の何れか単一の患者媒介変数のみを代表的に監視し、吸気流の送出を自然発生的に起動すべきときを決定する際に、監視された単一の媒介変数を単一の変数として使用する。一般的に、監視された媒介変数は、閾値と比較され、媒介変数が閾値を超える場合に、呼気から吸気（開始）まで又は吸気から呼気（循環）まで移行が始められる。他の圧力支援装置では、監視される媒介変数の現在値は同一の媒介変数の前回値と比較され、この比較結果に基づき、人工呼吸器は、開始し又は循環する。ズドロコウスキーその他名義の米国特許第第５，６３２，２６９号明細書は、「波形始動」としてこの技術を教示する。
【０００５】
圧力、流量又は体積の何れか１つを開始閾値と比較する一次元　変数、即ち単一の媒介変数は、媒介変数が、監視された媒介変数内に含まれる無作為な変動に影響され易くかつ錯誤の開始又は循環を招来する可能性が生ずる欠点がある。この場合に、オペレータが介入して、開始閾値及び／若しくは循環閾値又は人工呼吸器感度を低減しなければならない。しかしながら、人工呼吸器に接続される患者の呼吸系は、当初衰弱している場合が多いので、人工呼吸器の感度を低減することは、自発的な患者の吸気又は呼気を検出する前に患者がより大きい量で運動することが必要となる点においても不都合である。
【０００６】
発明の要約
従って、本発明の目的は、従来の人工呼吸器の欠点を克服して、改善された始動能力及び／又は循環能力を有する医療用の人工呼吸器装置を提供することにある。呼吸用気体流を発生する気体流発生器と、制御信号に応答して患者に供給される呼吸用気体の流量を制御する気体流量制御装置と、患者の気道に呼吸用気体流を供給する患者管路と、患者管路内の呼吸用気体の流量を測定し、測定値を表す第１の流量信号を出力するのに適している流量センサと、患者管路内の呼吸用気体流の圧力を測定し、測定値を表す第１の圧力信号を出力する圧力センサと、周囲空気に患者管路内からの気体を周辺大気に連絡する排気アセンブリとを有する人工呼吸器を設けることにより、本発明の一実施の形態に従って前記目的を達成できる。この人工呼吸器に設けられる制御装置は、第１の流量信号及び第１の圧力信号を受信して、圧力発生器により患者管路に送出される呼吸用気体の流量を制御し、これにより患者の気道での呼吸用気体の流量を制御する制御信号を出力する。一実施の形態では、制御装置は、患者の呼吸周期の吸気段階の開始を感知して、第１の流量信号及び第１の圧力信号に基づき決定されるこの種の患者の吸気運動に基づき、呼吸用気体の吸気流を開始する。
【０００７】
本発明の更なる実施の形態では、制御装置は、呼吸周期の呼気段階を通じて複数の始動装置（トリガー）を作動させて、呼吸周期の呼気段階が進行するとき、患者始動トリガーに対して人工呼吸器装置の感度を増加する。
【０００８】
なお更なる実施の形態では、制御装置は、第１の流量信号及び第１の圧力信号に基づき決定される呼気段階の開始を検出して、この患者の呼気動作に基づき人工呼吸器を循環する。本発明では、上記の始動機能と協力し又は単独でこの循環機能を行うことができる。
【０００９】
本発明の他の実施の形態では、制御装置は、呼吸ベースにより呼吸上の循環閾値基準を機能的に調整するので、人工呼吸器は、患者の呼気動作に密接に同期して循環する。この実施の形態では、人工呼吸器システムは、呼気段階の初期での患者流量Ｑｐａｔｉｅｎｔの変化の他に、患者圧力Ｐｐａｔｉｅｎｔ、特に吸気段階の末期での患者圧力の変化率を監視して、患者が呼気を開始する前又は後に、その呼吸に対する人工呼吸器循環が発生したか否かを決定すると共に、前回の呼吸内での循環同期エラーの原因である循環閾値基準値を次の呼吸で機能的に調整する。
【００１０】
更に、本発明の他の目的は、従来の始動及び循環技術に付随する欠点のない医療用人工呼吸器を開始又は循環する方法を提供することにある。この目的は、下記の過程を含む方法により達成される：（１）呼吸用気体流を発生する過程と、（２）患者管路を経て患者に呼吸用気体流を供給する過程と、（３）制御信号に応答する患者に送出される呼吸用気体の流量を制御する過程と、（４）患者管路内の呼吸流量を測定し、測定した流量を表す第１の流量信号を出力する過程と、（５）患者管路の呼吸用気体流の圧力を測定し、測定した圧力を表す第１の圧力信号を出力する過程と、（６）患者管路内から周囲大気に気体を連絡する過程と、（７）患者呼吸周期の吸気段階の開始を検出して、第１の流量信号及び第１の圧力信号に基づき決定される患者の吸気運動に基づき、呼吸用気体の吸気流を開始する過程と、（８）第１の流量信号及び第１の圧力信号の両方に基づき決定される患者の呼気運動に基づき、周期動作目的のため患者の呼気段階の開始を検出する過程。始動及び循環を独立に実施でき又は呼吸周期の適当な段階の間に始動及び循環の両方を実施できる点に注意を要する。
【００１１】
本発明の更なる実施の形態では、患者呼吸周期の呼気段階の異なる段階の間に複数の始動メカニズムを作動させて、呼吸周期の呼気段階が進行するとき、患者始動トリガーに人工呼吸器システム感度を増加できる。
【００１２】
更に他の実施の形態では、本発明は、患者流量と周期閾値基準値とを比較することによって、呼吸用気体の吸気流を供給する過程から呼気流を与える過程までを循環させる医療用人工呼吸器システムを提供する。このシステムは、患者が呼気を開始する前又は後に、その呼吸に対する人工呼吸器循環発生したか否かを表す吸気段階の末期部分での患者圧力Ｐｐａｔｉｅｎｔの変化と、呼気段階の初期部分での患者流量Ｑｐａｔｉｅｎｔの変化とに基づく呼吸ベースによって、更に機能的に呼吸上の循環閾値基準を調整できる。この実施の形態では、前回の呼吸内の循環同期エラーの原因である循環閾値基準値を次の呼吸内で機能的に調整できる。
【００１３】
異なる図面中で対応部品には同様の参照数字で示す全て本明細書の一部を構成する添付図面に関する下記の説明及び特許請求の範囲を考察すれば、構造体を構成する関連部品及び組み合わせ部品の操作法と機能並びに製法の経済性の他に、本発明の前記目的及び他の目的、特徴及び特性は、明らかとなろう。しかしながら、図面は図示及び説明の目的に過ぎず、本発明の限界を定義するものとは意図されない点を明瞭に理解すべきである。
本発明の好適な実施の形態の詳細な説明
【００１４】
図１は、本発明の原則による人工呼吸器システム３０の典型的な実施の形態を示すブロック図である。人工呼吸器システム３０は、代表的に患者に挿管する侵襲モード又は患者に挿管しない無侵襲モードで作動される。人工呼吸器３０の基本的構成要素は、例えば、アメリカ合衆国ペンシルベニア州ピッツバーグに所在ののレスピロニクス社製のＥｓｐｒｉｔ（登録商標）人工呼吸器等の従来の人工呼吸器に見られるものに一致するが、開始目的、循環目的又はこれらの両方の目的に対して従来の人工呼吸器の単一信号パターンとは対照的に、例えば生理的ベースに付随するマルチ信号パターンの認識及び量子化を利用して、人工呼吸器を使用して開始及び／又は循環する技術である本発明の新規な実施の態様を含む。
【００１５】
Ａ．人工呼吸器システムハードウエア
人工呼吸器システム３０は、圧力発生器３４、圧力／流量制御要素３６及び流量センサ３８を備えかつ全体を３２で示す主気体流送出システムを含む。圧力発生器３４は、矢印Ａで示すように、呼吸用気体供給源（図示せず）からの任意の消音器４０又は他の雑音抑制装置を通じて、例えば空気、酸素又は酸素混合気体等の呼吸用気体流を受け取る。圧力発生器３４は、受け取る呼吸用気体の圧力を上昇して、矢印Ｂで示すように、患者４４の気道４２に供給される呼吸用気体流を発生する。
【００１６】
本発明の好適な実施の形態では、圧力発生器は、モータにより回転される回転翼を使用して、周辺大気圧に対し高い圧力で呼吸用気体流を発生する送風機である。しかしながら、本発明は、例えばピストン、ベローズ及び螺旋型圧縮機又は吸引型圧縮機等の呼吸用気体流を昇圧又は発生する他の装置及び方法の使用も企図することを理解すべきである。更に、本発明は、圧力発生器は、加圧タンク、圧縮機又は最新の病院内に典型的に設けられる壁放出口から供給される例えば空気、酸素または混合気体等の加圧気体源でよいことを企図する。加圧気体源が壁放出口からの場合、消音器４０及び圧力発生器３４を省略し、圧力調整器を取り付けることもできよう。
【００１７】
圧力発生器３４の下流に設けることが好ましい圧力／流量制御要素３６は、患者に送出される呼吸用気体の圧力又は流量を制御する。本発明の好適な実施の形態では、圧力／流量制御要素３６は、プロセッサ４６の制御の下で作動する弁である。本発明は、主気体流配送システム３２によって、患者４４の気道４２に送出される呼吸用気体の流量を制御する他の方法、例えば圧力発生器に送出される気体の流量を調整する方法、圧力発生器の動作速度を調整する方法又はこれらの方法の組み合わせも企図することを理解すべきである。
【００１８】
流量センサ３８は、そこを流れる流体の量を量的に測定しかつその流量信号Ｑｐｒｉｍａｒｙを出力することが可能な何等かの適切な流量検出装置である。図示の典型的な実施の形態では、流量センサ３８は、圧力／流量制御装置３６の下流に設けられる。しかしながら、本発明は、主気体流配送システム３２によって、患者に送出される呼吸用気体の流量を測定する他の場所及び方法、例えば、圧力／流量制御装置３６の動作又は圧力発生器３４に供給されるエネルギに基づき、呼吸用気体の流量を測定することも企図する。
【００１９】
図示の例示的な実施の形態では、流量センサ３８によって、流量を測定した後の呼吸用気体流は、吸息マニホルド４８に供給されかつ患者管路５０を経て患者４４に送出される。本発明の好適な実施の形態では、患者管路５０は、矢印Ｃで示すように、患者に気体を供給する吸気アーム５２と、矢印Ｄで示すように、全体を５６で示す排気アセンブリに患者からの気体を搬送する呼気アーム５４とを有する２アーム管路である。患者界面装置５８は、患者管路を患者の気道に連絡する。患者界面装置５８は、患者管路から患者の気道まで呼吸用気体流を連絡するのに適する侵襲性又は無侵襲性の何等かの装置である。適切な患者界面装置の例は、鼻マスク、鼻／口マスク（図１に示す）、全面型面体、気管チューブ、気管内チューブ及び鼻支持体を含む。
【００２０】
排気アセンブリ５６は、矢印Ｅで示すように、呼気アーム５４から大気中への排出流体の排出を監視しかつ／又は制御すると共に、圧力センサ６０、排出流量センサ６２及び排出流量制御要素６４を備えている。圧力センサ６０は、排出孔に最も近い場所で呼気アーム５４内の圧力Ｐｐｒｏｘを測定する。このために、圧力Ｐｐｒｏｘは、患者での圧力Ｐｐａｔｉｅｎｔと一致すとみなす。圧力信号Ｐｐｒｏｘは、プロセッサ４６に付与される。勿論、例えば、患者界面装置に設けられる圧力口を経て、患者での圧力Ｐｐａｔｉｅｎｔを直接測定できる。
【００２１】
流量センサ３８と同様に、排出流量センサ６２は、そこを通じて流れる流量を量的に測定しかつその流量を表示する流量信号Ｑｅｘｈａｕｓｔを出力できる何等かの適切な流量測定装置である。
【００２２】
排出流量制御要素６４は、プロセッサ４６の制御の下で大気中に排出気体の排出を調整するのに選択的に作動できる能動的排出バルブであることが好ましい。特に、排出流量制御要素６４は、加圧流体が患者４４に供給される吸気段階の間に、大気中への流体の排出を防止すると共に、患者４４に対する加圧流体の供給が終了し又は減少する呼気段階の間に、制御された速度（率）で大気中に気体を漏出させることが好ましい。作動中の排出アセンブリは、大気中への排出気体の流量を制御して、患者内の呼気端陽圧（「ＰＥＥＰ」）を制御することが好ましい。
【００２３】
図１の人工呼吸器システム３０は、全体を６６で示す任意の酸素配送システム又は第２の気体配送システムを含み、第２の気体配送システムは、矢印Ｆで示すように、主気体流Ｂに付随して、補足的な又は第２の気体流を送出する。矢印Ｇで示す酸素流又は他の第２の気体流は、第２のガス流量制御要素６８に接続される酸素タンク又は通常弁である病院の壁面出口等の気体源（図示せず）から送出される。第２の気体流Ｆの圧力及び／又は流量は、プロセッサ４６の制御の下で第２の気体流量制御要素６８により調整される。第２の気体流は、吸息マニホルド４８に供給され、主気体流内に導入され又はこれと混合されて、共に患者に送出される呼吸用気体流（矢印Ｃ）を形成する。吸息マニホルドに供給される第２の気体の流量Ｑｓｅｃｏｎｄａｒｙを測定する第２の流量センサ７０が設けられる。
【００２４】
第２の気体配送システム６６は任意のもので省略できることに注意を要する。しかしながら、多くの実際的な人工呼吸器を実施する際に、周辺大気から入手できるより高い酸素含有量を有する気体流を患者に供給することが望ましい。また、第２の気体配送システム６６によって、酸素以外の医療用気体を送出できる。
【００２５】
図１に示す人工呼吸器システムのブロック図は、人工呼吸器システムの完全かつ徹底的な説明であることを意図しないが、特に、本発明の新規な始動及び循環法の実行に必要なものである人工呼吸器の重要な構成要素を記載することを意図する点に注意すべきである。例えば、当業者は、少し例を挙げれば、例えば給湿器、バクテリア・フィルタ、吸引カテーテル及び、気管気体吸入カテーテル等の患者管路に接続される補助的な要素の他に、システムの実施媒介変数を設定する入出力装置、患者又は人工呼吸器の状態を表す信号を操作者に送出する警報（聴覚的又は可視的）等の特徴を医療用の人工呼吸器システムに設けてもよい。
【００２６】
Ｂ．　人工呼吸器システムの動作
図３及び図４及び図１について人工呼吸器システム３０の動作を以下説明する。しかしながら、動作を詳細に説明する前に、換気される患者に関するいくらかの基本的用語を明確にすることが有用である。この目的で、図２は、自然発生的に呼吸する正常な患者の２つの呼吸周期に対する患者流量Ｑｐａｔｉｅｎｔを表す例示的な波形７２を示す。各呼吸周期Ｔｂｒｅａｔｈを下記４部分に分割できる：（１）呼気から吸気に移行する開始時点７４、（２）吸息段階または吸気段階（Ｔｉｎｓｐ）、（３）吸息から呼気に移行する循環時点７６、及び（４）呼息段階又は呼気段階Ｔｅｘｐ。
【００２７】
本発明の始動及び循環法は、人工呼吸器システムは、別々に吸気から呼気に開始しかつ呼気から吸気に循環する方法を制御して、自然発生的に呼吸する患者の呼吸周期に前記イベントを同期させる。設定された期間後、警報後及び他の通気後又は圧力支援モード後に、患者吸気流の開始に失敗した場合、互いに独立してかつ従来の人工呼吸器に存在する例えば時限式バックアップ呼吸等の他の機能と連動して始動及び循環法を使用できることを理解できる。例えば、通気の圧力支援モード又は圧力援助モードでは、本明細書に記載される始動法と循環法との一方又は両方が使用される。通気の体積制御モードでは、循環は時限式で自発的でないので、本発明の始動法のみが利用される。
【００２８】
例えば、下記の他の通気モード又は他の圧力支援モードで本発明の始動法と循環法を個別に又は並行して使用できる：（１）例えば、本明細書の一部として引用する何れもヨウンズ名義の米国特許第５，０４４，３６２号及び第５，１０７，８３０号明細書に教示された比例援助通気（ＰＡＶ）モード；（２）例えば、本明細書の一部として引用するエステスその他名義の米国特許第５，５３５，７３８号、第５，７９４，６１５号及び第６，１０５，５７５号明細書に教示された比例気道陽圧（ＰＰＡＰ）支援；及び（３）例えば、本明細書の一部として引用するサンダーズその他名義の米国特許第５，１４８，８０２号、ズドロコウスキーその他名義の米国特許第第５，３１３，９３７９号明細書、サンダーズその他名義の米国特許第５，４３３，１９３号、ズドロコウスキーその他名義の米国特許第５，６３２，２６９号明細書、ズドロコウスキーその他名義の米国特許第５，８０３，０６５号及びズドロコウスキーその他名義の米国特許第６，０２９，６６４号明細書に教示された２レベル圧力支援。
【００２９】
下記では更に詳述するように、本発明の人工呼吸器始動法及び循環法は、測定基準として定常状態から患者流量Ｑｐａｔｉｅｎｔ偏差及び患者圧力Ｐｐａｔｉｅｎｔ偏差の交差相関パターンを使用して、自発的な、即ち患者始動される呼吸段階移行を決定できる。圧力及び流量の使用により、従来の始動法又は循環法によって、可能な開始または循環として、患者の呼吸動作をより正確に示す表示が得られると考えられる。また、本発明の始動法及び循環法は、誤って解釈するノイズ又はイベント等の他のシステム異常を発生せずに、患者始動トリガーイベント及び循環イベントを能率的に検出できる。
【００３０】
患者流量Ｑｐａｔｉｅｎｔ７８及び患者圧力Ｐｐａｔｉｅｎｔ８０を示す図３を参照すると、基礎流の存在の下で、肺内への流れを後続的に増加させる制御された圧力レベル８４、代表的にＰＥＥＰレベルから患者圧力を減少することにより時点８２で開始する患者の吸気動作を表示することに本発明の発明者は注目する。この圧力減少８６を図３に示し、緊密に並列する流量増加を８８で示す。患者圧力低下の開始と患者流量の上昇との間には僅かな遅延が存在することに注意しなければならない。患者に対応して、遅延の長さを変化させることができる。例えば、慢性閉塞性肺疾患を患う患者では、遅延は他の患者の長い。その直後の時点９０で、換気装置が開始され、患者への流量及び圧力は増加する。一実施の形態では、この圧力−流量パターンは、患者が吸気運動を開始したことを示すので、本発明はこの観測できる圧力低下及び流量増加を使用して、換気装置を開始する。
【００３１】
本発明は、呼吸周期の吸気の段階の周期に発生する同様のパターンと正反対のパターンを使用して、吸気段階から呼気段階まで換気装置システムを循環させることを企図する。より具体的には、本発明の発明者は、排気バルブによって、呼気流量を制御する換気される患者では、時点９２で開始する患者の呼気運動が患者流量の減少によって、９４で表示され、９６で示す患者圧力の増加が続く点に注目した。周期現象を表すこの圧力−流量パターンを使用して、位置９８で換気装置を循環させ、呼気が開始するときに、患者流量及び圧力を減少させることができる。
【００３２】
本発明の他の実施の形態では、吸気の終期に患者流量及び圧力変化に基づいて換気装置の循環を達成できる。本実施の形態では、下記に詳細に説明するように、呼吸ベースで呼吸時に循環閾値を動的に変更して、患者と機械との同期性を保持する上、患者の快適性を最大にする。
【００３３】
本発明の人工呼吸器システムは、患者の呼気周期が進行する間に異なる段階で、活性化され、即ち開始イベントを捜索し始める他の起動装置も提供する。前記他の起動装置は、本発明の圧力−流量起動法と同時に作動して、開始イベントの一つが生じたときはいつでも人工呼吸器が自然発生的に開始することが好ましい。呼気段階の種々の段階で発生する状況のために活性化する多数の起動メカニズムのこの使用により、起動目的で患者が開始する吸気運動に対する人工呼吸器システムの感度を呼吸周期の呼気段階の開始時に低くしかつ患者が呼気段階を通じて進行するとき効果的に増加させることができる。その結果、患者の吸気運動に対するシステムの応答性を最大化しながら、誤動作による開始を最小化できる。
【００３４】
１． 患者流量、患者圧力及び漏洩
本発明の目的に対し、患者圧力Ｐｐａｔｉｅｎｔは、圧力センサ６０により測定される近位の圧力Ｐｐｒｏｘに一致するとみなし、即ち、Ｐｐａｔｉｅｎｔ＝Ｐｐｒｏｘ。勿論、何らかの従来の技術を使用して患者で直接患者圧力Ｐｐａｔｉｅｎｔを測定できる。図１に示す人工呼吸器システム３０では、患者の気道開口部に流量計を配置することは実際的でないので、患者圧力と同一の方法で直接患者流量Ｑｐａｔｉｅｎｔを測定されない。従って、本発明のこの実施の形態では、流量センサ３８、６２及び７０で測定される流量から実際の患者流量Ｑｐａｔｉｅｎｔが決定される。しかしながら、人工呼吸器システム３０を修正して、患者の近くに流量センサを設けることができることも理解されよう。その場合には、患者流量Ｑｐａｔｉｅｎｔは、直接測定される。
【００３５】
即ち、図１の人工呼吸器システム３０のように、実質的に零か少なくとも最小値で、無視できる漏洩量の閉鎖システムでは、瞬間的な患者流量Ｑｐａｔｉｅｎｔは、下式で表される：
2004512065.tif 000003
【００３６】
この場合、システム漏洩を考慮せずに、患者流量を直接決定される。この種のシステムでは、適切に設定したとき、漏洩を特に最小化に意図されるので、典型的侵襲性の通気システムにこの方法をほぼ適用できる。
【００３７】
しかしながら、本発明は、漏洩による損失を式（１）に含めて、意図的な漏洩と、非意図的な漏洩とを考慮することによって、実際の患者流量をより正確に決定することを企図する。意図的な漏洩は、患者から空気まで孔排気ガスに患者管路及び／又は患者界面体に特別に設けられた排出口を通じてポートによる漏洩を含むことができる。単一のアーム、無侵襲人工呼吸器又は圧力支援装置にこの種の排出口を設けて、患者の呼気気体を大気中に放出できる。例えば、マスク密封部と患者の皮膚との間に形成される患者界面体接触部及び患者管路の継手等に非意図的な漏洩が発生し得る。漏洩を考慮に入れると、式（１）は、下式のように書き換えられる：
2004512065.tif 000004
ここで、Ｑｌｅａｋは、意図的な漏洩及び非意図的な漏洩を含む瞬間的な漏洩流量である。
【００３８】
本明細書の一部として内容を引用するサンダーズその他名義の米国特許第５，１４８，８０２号、ズドロコウスキーその他名義の米国特許第５，３１３，９３７号、サンダーズその他名義の米国特許第５，４３３，１９３号、ズドロコウスキーその他名義の米国特許第５，６３２，２６９号、ズドロコウスキーその他名義の米国特許５，８０３，０６５号、ズドロコウスキーその他名義の米国特許６，０２９，６６４号及びフランクその他名義の米国特許出願第０９／５８６０５４号明細書に開示されるように、漏洩流量Ｑｌｅａｋを算出することのいかなる従来の技術も、本発明は使用することを企図する。漏洩量を検出しかつ推定すると共に、漏洩の存在下で、患者への呼吸用気体の送出を管理する技術の記述について１つ又はそれ以上の前記従来技術を参照できるが、念のため、この過程を下記に簡単に説明する。
【００３９】
一漏洩推定法では、式（２）で表されるある瞬間での漏洩量Ｑｌｅａｋは、下式で表される：
【数１】
2004512065.tif 000005
ここで、ＬＦは、各呼吸に対し好適に算出される漏洩係数：
【数２】
2004512065.tif 000006
【００４０】
呼吸周期Ｔｂｒｅａｔｈの間に、プロセッサ４６は、流量センサ３８、６２及び７０からの流量信号Ｑｐｒｉｍａｒｙ、Ｑｓｅｃｏｎｄａｒｙ及びＱｅｘｈａｕｓｔを監視すると共に、圧力センサ６０からの圧力信号Ｐｐｒｏｘを監視する。全呼吸周期を通じて捕集したこの情報を使用して、プロセッサ４６は、式（４）のそれぞれ分子及び分母の条件である値：
【数３】
2004512065.tif 000007
【数４】
2004512065.tif 000008
を決定する。
【００４１】
呼吸周期での所与の瞬間での流量値Ｑｌｅａｋを決定するため、プロセッサ４６は、前回の呼吸周期から算出された式（４）からの漏洩係数ＬＦに対する既知の値、その瞬間に測定された流量と圧力を利用して、式（３）を解く。本発明の例示的な実施の形態では、プロセッサ４６は、各呼吸周期毎又は各処理周期毎に、流量センサ３８、６２及び７０並びに圧力センサ６０によって、発生する複数回、例えば１００サンプルの信号をサンプリングするが、サンプリングを５ミリ秒（ｍｓ）毎に行って、本質的に連続的に式（２）から患者流量を計算する。
【００４２】
また、本発明は、直前の呼吸周期内に決定される漏洩係数よりむしろ漏洩係数ＬＦの平均値を使用することも企図する。例えば、最後（最新）のｎ回呼吸（ｎは整数で、単数又は複数）の各々に対する漏洩係数を算出することができ、ｎ回の呼吸（単数又は複数）を通じた平均の漏洩係数を式（３）に使用して、漏洩量を決定できる。また、本発明は、最後のｎ回呼吸の間に決定される前記値の平均から式（４）中の分子、分母又はこれらの両方を決定できることも企図する。また、漏洩流量の突然の変化により本発明で使用する漏洩係数又は平均漏洩速度が急激に変化し又は急転しないように、漏洩係数を段階的に変化させることができる。
【００４３】
瞬間的な患者流量Ｑｐａｔｉｅｎｔを算出する前記方法は、効果的であるが、正確に患者流量を決定するために、漏洩係数ＬＦを反復再演算しかつ各呼吸周期に対する漏洩流量Ｑｌｅａｋを決定することを必要とする。しかしながら、本発明は、漏洩流量の算出を必要としない特定の状況の下で、患者流量Ｑ１ｐａｔｅｉｎｔを算出する他の方法を企図する。即ち、患者圧力が一定のままの場合に発生する一定漏洩状態で通気システム３０が稼動される場合、患者流量Ｑ１ｐａｔｉｅｎｔは、下式で決定される。最初に、正味流量ＮｅｔＦｌｏｗ（ｎ）は、下式で決定される：
2004512065.tif 000009
ここで、Ｑｔｏｔａｌ＝Ｑｐｒｉｍａｒｙ＋Ｑｓｅｃｏｎｄａｒｙ、であり、Ｑｔｏｔａｌは、人工呼吸装置の制御の下にある全出力流量である。
【００４４】
１００ミリ秒の経過時間幅（ウインドウ）を通じて、体積（Ｖｏｌｕｍｅ（ｎ））を次のように算出する：
【数５】
2004512065.tif 000010
ここで、ｎは５ミリ秒の処理周期である。連続的体積差（Ｖｏｌｕｍｅ Ｄｉｆｆｅｒｅｎｔｉａｌｓ（ｎ））は、それから５０ｍｓの経過時間幅を通じて算出される：
2004512065.tif 000011
【００４５】
この患者流量測定値技術では、患者に対する正味流量（式（６））は、離間するが互いに接近する２つの異なる経過時間幅からの漏洩を含んでも含まなくてもよく、互いに比較される（式（７））。これを行う際に、各経過時間幅内で一定かつ同一となる漏洩は相殺されるので、得られる体積差Ｖｏｌｕｍｅ Ｄｉｆｆｅｒｅｎｔｉａｌは、患者に供給され又は患者から受け取る流体の体積を表す。患者流量Ｑ１ｐａｔｉｅｎｔは、連続ベースで下記のように決定される：
2004512065.tif 000012
ここで、患者流量Ｑ１ｐａｔｉｅｎｔ（ｐｒｉｏｒ）は、前回の処理時間幅内で決定される患者流量である。
【００４６】
体積Ｖｏｌｕｍｅを算出する時間幅は、１秒につきリットルで表されるＱ１ｐａｔｉｅｎｔに対し５０ｍｓの時間幅であるから、分母の数は、０．０５０を選択する。前記の通り、患者流量を算出するこの方法は、漏洩流量を効果的に無視しながら、患者流量を算出できる点で有利である。しかしながら、この患者流量算出法を使用するために、圧力は安定でなければならない。
【００４７】
本発明では、例えば、漏洩量又はバイアス流量を含む患者流量Ｑｐａｔｉｅｎｔを決定したり、漏洩量又はバイアス流量を計算に入れて患者流量Ｑ１ｐａｔｉｅｎｔを決定するように、患者流量を決定する方法を使用できることを当業者は理解できよう。患者流量Ｑ１ｐａｔｉｅｎｔはいかなる漏洩量又はバイアス流量の評価を使用しないが、患者流量Ｑｐａｔｉｅｎｔはこれらを使用することを除き、交互に付与される安定した複数の漏洩状況で、一般に、「推定患者流量」と称する患者流量Ｑｐａｔｉｅｎｔ若しくはＱ１ｐａｔｉｅｎｔ又はそれらの両方を使用できる。後述のように、この違いを考慮しなければならない少なくとも一つの例がある。始動装置（トリガー）６の対応する周期動作技術を参照されたい。
【００４８】
また、人工呼吸器システム３０は、患者にバイアス流を供給するように、下記のように種々の目的で平均漏洩流量Ｑｌｅａｋ（ａｖｅｒａｇｅ）を使用して、システムの漏洩を補償できる。呼吸周期の間に漏洩体積Ｖｌｏｓｓを最初に算出することによって、呼吸周期Ｔｂｒｅａｔｈに対する１分毎のリットルの漏洩量で表される平均漏洩流量Ｑｌｅａｋ（ａｖｅｒａｇｅ）を決定する。漏洩体積は、下記のように決定される：
【数６】
2004512065.tif 000013
ここで、Ｔｓはサンプリング期間、ｉ＝０は呼吸周期の第１のサンプル例で、ｎは呼吸周期の最終サンプル例である。平均漏洩流量Ｑｌｅａｋ（ａｖｅｒａｇｅ）は、Ｑｌｅａｋ（ａｖｅｒａｇｅ）＝（Ｖｌｏｓｓ／Ｔｂｒｅａｔｈ）＊０．０６．として決定される。本発明の例示的な実施の形態の漏洩体積Ｖｌｏｓｓを、ミリリットルで決定し、呼吸周期Ｔｂｒｅａｔｈを、秒で決定し、平均漏洩流量Ｑｌｅａｋ（ａｖｅｒａｇｅ）を、リットル／分で表すために選択された転換率で乗数０．０６が表される。使用する単位に依存して、他の転換率を使用し又は転換率を使用しなくてもよいことも当業者には理解できよう。上記の例では、平均漏洩流量は、各呼吸に対し決定される。しかしながら、複数の呼吸周期に対し平均漏洩流量を算出できる。
【００４９】
２． バイアス流量
本発明の好適で例示的な実施の形態では、本発明の人工呼吸器システムは、患者にバイアス流量を供給して、患者管路を通じて一定流量の気体が通過している。バイアス流量の大きさは、患者の肺容量及び平均漏洩流量Ｑｌｅａｋ（ａｖｅｒａｇｅ）等の換気される患者の特性に依存する。特に、成人患者に対するバイアス流量は、１分当たりの平均漏洩流量（リットル）に一定の基礎流量、好ましくは、１分当たり５リットルを加算したものとして決定される。小児患者に対するバイアス流量は、平均流量に１分毎に一定の３リットルを加算したものとして決定される。要約すると、
成人：　バイアス流量＝Ｑｌｅａｋ（ａｖｅｒａｇｅ）＋５（リットル／分）
小児：　バイアス流量＝Ｑｌｅａｋ（ａｖｅｒａｇｅ）＋３（リットル／分）
【００５０】
本発明の好適な実施の形態では、各呼吸周期に対しバイアス流量値を再計算し、新規なバイアス流量値を使用して、次の呼吸周期のバイアス流量を供給できる。また、安全目的のため、平均漏洩流量を６０リットル／分の最大値に制限して、実際の平均漏洩流量に関係なく、成人に供給できる最大バイアス流量は６５リットル／分であり、小児患者への最大バイアス流量は６３リットル／分である。
【００５１】
当業者は、平均漏洩流量に加えられる一定の基礎流量を、成人に対し特に５リットル／分に制限する必要はなく、小児に対し３リットル／分に制限する必要はない。これに対し、例えば、患者の大きさ又は患者の状態等の他の参酌事項に基づいて、一定の基礎流量に対する他の値を選択できる。また、一定の漏洩流量を無視して、成人及び小児に加え又はその代わりに、他の選択を人工呼吸器オペレータに付与し、患者の必要条件を一定の基礎流量の適当な値により正確に整合させることができる。また、最大平均のバイアス流量を特に６０リットル／分に設定する必要はなく、むしろ本発明では、この一般的な範囲の他の最大値が企図される。更に、呼吸周期毎にバイアス流量を再演算する必要はないが、人工呼吸器システムの有効性に障害が生じない限り、更に頻繁に又は低頻度で演算することもできる。
【００５２】
３．始動
本発明の始動方法を図３及び図４について以下説明する。図３に示すように、本発明の始動方法は、呼気段階Ｔｅｘｐを下記の４部分に効果的に分割する：１）制限された区域１００、２）能動的呼気区域１０２、３）非能動的呼気区域１０４、及び４）静かな呼気区域１０６。患者の呼吸周期の呼気周期内で前記区域を確立して、呼気段階の各区域で発生する状況に基づいて各処理周期の間に一つ又はそれ以上の始動メカニズムを起動する。図４は、人工呼吸器システムにより実施される例示的な始動過程を一般的に示すフローチャートである。本発明の好適な実施の形態では、承認される全始動メカニズムＴｒｉｇｇｅｒ １〜Ｔｒｉｇｇｅｒ ７を作動状態にして、各処理周期の間に、起動に対して始動メカニズムを試験することができ、一旦始動され又は始動可能に付勢されると、始動メカニズムをイネーブル状態又は作動状態にするのに必要な状態を満足するままである限り、作動状態を保持しかつその処理周期及び呼気段階の残部に対する作動を待機する。
【００５３】
呼気段階の異なる段階の間に異なる始動メカニズムを作動させることにより、患者が呼吸周期の呼気段階に入るとき、人工呼吸器システムの始動メカニズムの効果的感度を更に増加する。例えば、呼気段階への移行直後に、患者が吸気を試みることはありそうもない。従って、自然発生的な吸気に対する人工呼吸器システムの感度は、その時あまり高い必要はない。他方、患者が呼気段階の終期に近づくときに、その患者は、自然発生的な吸気運動を直ちに試みていることは極めて可能性がある。従って、吸気運動を検出する人工呼吸器システムの感度を呼気の段階の終期に最大化して、人工呼吸器を始動するのに患者に要求される運動を最小化しながら、確実に吸気の運動を検出しなければならない。図３は、呼気周期の種々の段階の間に種々の始動を効果的に活性化する時点を示す。呼気段階Ｔｅｘｐの各区域の動作を以下順次明確に説明する。
【００５４】
本発明では、圧力始動、流量始動、体積始動及び運動始動の４種類の基本始動メカニズムがある。始動装置（トリガー）１は、比較的高い感度レベルで閾値圧力に対して患者圧力を試験する圧力始動である。始動装置（トリガー）２は、閾値流量に対して患者流量を試験する流量始動である。始動装置（トリガー）３及び始動装置（トリガー）４は、閾値体積に対して体積を試験する体積始動である。より具体的には、始動装置（トリガー）３は、閾値体積に対して増加する患者流量パターンの経過を通じて推定される患者吸入体積を試験し、始動装置（トリガー）４は、閾値体積に対して５０ｍｓにわたり吸入される患者吸気体積を試験する。このように、始動装置（トリガー）３は、より長期間患者の傾向を見る一層の長期始動であり、始動装置（トリガー）４は、患者のより即時の体積を見る一層の短期始動である。運動始動は、人工呼吸器を始動すべきか否かを決定する閾値運動レベルと比較される患者圧力と患者流量との交差相関に基づいて、患者の吸気運動の決定に関連する。始動装置（トリガー）５、始動装置（トリガー）６及び始動装置（トリガー）７は、運動ベース始動で、始動装置（トリガー）５及び始動装置（トリガー）７は、始動装置（トリガー）６より長い期間にわたる患者運動を見ながらより長期始を有し、始動装置（トリガー）６は、患者が短期間にわたり行う吸気運動量を注目する短期運動始動である。
【００５５】
本発明の始動アルゴリズムを実施する際に使用される下記の媒介変数は、下記の意味を有する。
ＣｏｍｐＦｌｏｗ：−１リットル／分又は平均漏洩流量Ｑｌｅａｋ（ａｖｅｒａｇｅ）の−５％、代数で何れか小さいもの。
ＭｉｎＦｌｏＴ２：平均漏洩流量Ｑｌｅａｋ（ａｖｅｒａｇｅ）が３０リットル／分未満であれば、−４ｌリットル／分、別法として、０リットル／分。
Ｂｅｔａ（ベータ）：呼気時間£吸気時間の場合、０．１ミリリットル、別法として、
バイアス流量が１５リットル／分に満たない場合、
Ｂｅｔａ（ベータ）＝０．２ミリリットル又は
バイアス流量が１５リットル／分以上で３０リットル／分に満たない場合、
Ｂｅｔａ（ベータ）＝０．５ミリリットル又はバイアス流量が３０リットル／分以上の場合、
Ｂｅｔａ（ベータ）＝１ミリリットル
ＭｉｎＳｔＴｉｍｅ：漏洩流量Ｑｌｅａｋが３０リットル／分に満たない場合、１００ミリ秒、漏洩流量Ｑｌｅａｋが３０リットル／分以上の場合、２００ミリ秒
ＭｉｎＴｉｍｅＴ３：漏洩流量Ｑｌｅａｋが３０リットル／分に満たない場合、１５０ミリ秒、漏洩流量Ｑｌｅａｋが３０リットル／分以上の場合、２５０ミリ秒
ＭｉｎＶｏｌＴ３：漏洩流量Ｑｌｅａｋが６０リットル／分に満たない場合、３ミリリットル、漏洩流量Ｑｌｅａｋが６０リットル／分以上の場合、４ミリリットル
Ｓｉｇｍａ（シグマ）：小児：Ｓｉｇｍａ＝１ｃｍＨ２Ｏ＊ｌｐｍ．
成人：漏洩流量Ｑｌｅａｋが３０リットル／分に満たない場合：Ｓｉｇｍａ＝１ｃｍＨ２Ｏ＊ｌｐｍ
漏洩流量Ｑｌｅａｋが３０リットル／分以上の場合：
Ｓｉｇｍａ＝３ｃｍＨ２Ｏ＊ｌｐｍ。
【００５６】
前記媒介変数の値は、人工呼吸器システム３０に使用される部材の物理的な特性に依存することを理解しなければならない。患者管路に使用される排出弁及び／又は管である排出流量制御要素の形態は、前記媒介変数の特定値に影響を及ぼす。このように、本発明は前記媒介変数の特定値に限定することを意図せず、発明の原則に従って人工呼吸器システムが機能する限り、一定範囲の値を包含できる。また、本発明は、前記媒介変数の値を適応可能に変更して、人工呼吸器の動作を最大にするか又は前記媒介変数を手動で制御可能として、人工呼吸器オペレータが人工呼吸器を設定する際に十分な柔軟性を付与して、あらゆる所与の患者の要求に適合させることを企図する。
【００５７】
図３及び図４に示すように、制限された区域１００は、能動的呼気区域１０２の間で周期時点９８で開始する呼気段階初期の短期間である。制限された区域１００では、呼気から吸気への始動は許可されない。本発明の好適な実施の形態では、制限された区域は、２００ｍｓに設定される。しかしながら、この一般的な時間枠を含み、一定範囲を通じて制限された区域の継続期間を変更できることに注意すべきである。呼気周期の開始後に殆どの場合、人間は物理的に短い時間枠内では吸気周期に戻れないから、本発明では、２００ｍｓの時間枠を選択する。
【００５８】
ステップ１０８で、呼気を開始し、ステップ１１０では、プロセッサ４６は、呼気の開始以降、２００ｍｓの時間が経過したか否かを決定する。経過していなければ、呼気流量は、依然として制限された区域の範囲内にあり、帰還ループ１１２で示すように、制限された区域の継続期間が経過するまで、ステップ１１０が反復される。呼気の開始時点から２００ｍｓの時間が経過すれば、プロセッサ４６は、ステップ１１４、１１６、１１８及び１２０に続く。
【００５９】
２００ｍｓの遅延後、即ち、制限された区域１００の終了後、患者は、能動的呼気区域１０２の無制限部分に入る。制限された区域の終期に続く能動的呼気区域１０２は、中間間隔として形成され、その中間間隔の間に排出流量制御要素６４を通過する流量Ｑｅｘｈａｕｓｔは、５リットル／分以上だけ全供給流量Ｑｔｏｔａｌを上回る。これは、患者が肺から気体を積極的に排出している呼気段階の時間間隔である。注意深く判断しても、患者が能動的呼気区域にあるか否かを決定する際に、漏洩流量Ｑｌｅａｋは考慮されない。
【００６０】
能動的呼気区域１０２では、ステップ１１４に示すように、適当な状況が起こる場合、支援圧力始動である始動装置（トリガー）１は、作動状態にされ、即ち、起動の準備が行われる。始動装置（トリガー）１は、３ｃｍＨ２Ｏの感度を有する従来の圧力始動であるから、患者圧力Ｐｐａｔｉｅｎｔが、３ｃｍＨ２Ｏ又はそれ以上だけ設定呼気終末陽圧呼吸レベルに満たない場合、人工呼吸器が始動する。患者圧力を３ｃｍＨ２Ｏに減少して、誤始動を防止するため、始動装置（トリガー）１は、比較的大きい量の患者運動を必要とする。能動的呼気区域は、患者流量が比較的不安定であり比較的短期間にわたり流量が大きく異なることがある呼気段階の一部を表すので、人工呼吸器の始動が敏感に高過ぎる場合、この種の誤始動が発生する可能性がある。
【００６１】
ステップ１１６では、プロセッサ４６は、呼気終末陽圧が零に設定すべきか否かを決定する。設定すべきと決定した場合、２リットル／分の従来の流量支援始動である始動装置（トリガー）２は、ステップ１２２で作動状態に切り換えられる。始動装置（トリガー）２では、患者流量Ｑｐａｔｉｅｎｔが正でかつ患者流量が２リットル／分を超える場合、人工呼吸器は、始動されよう。能動的呼気区域の間に、患者流量は正ではないので、能動的呼気区域１０２の間に、始動装置（トリガー）２を最初に点検しても、患者が非能動的呼気区域１０４になるまで、始動装置（トリガー）２を使用して、人工呼吸器を始動することができない。本発明の開示内容を実施するのに使用される人工呼吸器の動作特徴に依存してこのトリガーが選択されることは当業者に理解されよう。
【００６２】
本発明では、Ｑｐａｔｉｅｎｔな患者流量が、前記のように、−１リットル／分又は平均漏洩流量Ｑｌｅａｋ（ａｖｅｒａｇｅ）の−５％、代数で何れか小さいほうの特定の最小閾値ＣｏｍｐＦｌｏｗを越えるとき、患者は、非能動的呼気区域１０４にある。（１）排出流量Ｑｅｘｈａｕｓｔは、供給された流量Ｑｔｏｔａｌ＋５リットル／分未満であり、かつ（２）少なくとも一定の時間中に１００ｍｓの体積差（Ｖｏｌｕｍｅ Ｄｉｆｆｅｒｅｎｔｉａｌ（ｎ））（式（７））が安定されたとき、また、患者は、非能動的呼気区域１０４にあると判断さる。前記のように、漏洩流量Ｑｌｅａｋが３０リットル／分未満の場合に１００ミリ秒であり、漏洩流量Ｑｌｅａｋが３０ｌリットル／分以上の場合に２００ミリ秒である一定時間ＭｉｎＳｔＴｉｍｅの間に、Ｖｏｌｕｍｅ Ｄｉｆｆｅｒｅｎｔｉａｌ（ｎ）の連続的絶対値が例えば、０．１ミリリットル未満の場合、Ｖｏｌｕｍｅ Ｄｉｆｆｅｒｅｎｔｉａｌ（ｎ）は、安定であると判断される。
【００６３】
ステップ１１８では、人工呼吸システムは、患者流量Ｑｐａｔｉｅｎｔが正か否か決定する。正の場合、始動装置（トリガー）３は、ステップ１２４で付勢される。正でない場合、システムは、帰還ループ１１９で示すように、処理周期毎に再チェックを行う。始動装置（トリガー）３では、患者流量が上昇を開始すれば、初期値は参照流量Ｑｒｅｆとして保存される。その後、現在の流量Ｑｐａｔｉｅｎｔ（ｃｕｒｒｅｎｔ）と基準流量Ｑｒｅｆとの間の差異が、例示的な実施の形態では５ｍｓである各処理周期ｎ間に蓄積される。
【００６４】
１）患者流量Ｑｐａｔｉｅｎｔが基準流量Ｑｒｅｆより大きい場合、２）体積差異が零より大きい場合、及び３）現在の患者流量が前の患者流量を越える量が、流量増加の傾斜が少なくとも一定値である一定量より大きい場合の３つの状態の全てに適合する限り、継続する処理周期で前記差異は、連続して蓄積される。本発明の好適な実施の形態では、（１）時間遅延患者流量Ｑｐａｔｉｅｎｔ（ｄｅｌａｙｅｄ）（ｎ）及び（２）０．５ミリ秒、即ち、Ｑｐａｔｉｅｎｔ（ｎ）＞Ｑｐａｔｉｅｎｔ（ｄｅｌａｙｅｄ）（ｎ）＋５リットル／分（ｎは５ミリ秒の一処理周期である）のような一定の流量と現在の流量とを比較することにより、前記第３の状態が決定される。この実施の形態では、Ｑｐａｔｉｅｎｔ（ｄｅｌａｙｅｄ）（ｎ）＝０．２Ｑｐａｔｉｅｎｔ（ｎ）＋０．８Ｑｐａｔｉｅｎｔ（ｄｅｌａｙｅｄ）（ｎ−１）これらの状態の何れか１つが合致しない場合、始動装置（トリガー）３はリセットされ、基準流量Ｑｒｅｆをリセットして、蓄積された値を零にリセットする。
【００６５】
５ミリ秒毎、即ち各処理周期毎に差異（Ｑｐａｔｉｅｎｔ（ｃｕｒｒｅｎｔ）−Ｑｒｅｆ）を決定するので、差異（Ｑｐａｔｉｅｎｔ（ｃｕｒｒｅｎｔ）−Ｑｒｅｆ）の蓄積された値は、患者体積に相当する。体積を得るために、一処理周期に対し、５ミリ秒のような時間を差異に乗ずる。患者体積の現在合計（ランニングサム）が本発明の好適な実施の形態では、ある時間長さにわたり７ミリリットルのような閾値体積を超える場合、始動が宣言される。前記のように、前記３つの状態の何れかに反する場合に、患者現在体積合計はリセットされる。
【００６６】
ステップ１２０では、体積差Ｖｏｌｕｍｅ Ｄｉｆｆｅｒｅｎｔｉａｌ（ｎ）を監視して、一定期間ＭｉｎＴｉｍｅＴ３の間に体積差が安定のままであったか否か決定するが、前記のように、一定期間ＭｉｎＴｉｍｅＴ３は、漏洩流量Ｑｌｅａｋが３０リットル／分に満たない場合に１５０ミリ秒であり、漏洩流量Ｑｌｅａｋが３０リットル／分以上の場合に２５０ミリ秒である。例えば、時間量ＭｉｎＴｉｍｅＴ３の間に体積差Ｖｏｌｕｍｅ Ｄｉｆｆｅｒｅｎｔｉａｌ（ｎ）の連続する絶対値が０．１ミリリットルに満たない場合、体積差Ｖｏｌｕｍｅ Ｄｉｆｆｅｒｅｎｔｉａｌ（ｎ）は安定と判断される。安定の場合、始動装置（トリガー）４はステップ１２６で付勢される。安定でない場合、システムは、帰還ループ１２１により示すように、処理周期毎に再チェックを行う。始動装置（トリガー）４では、５０ミリ秒の体積差Ｖｏｌｕｍｅ Ｄｉｆｆｅｒｅｎｔｉａｌ（ｎ）がＭｉｎＶｏｌＴ３を超える場合、ＭｉｎＶｏｌＴ３は前記の通り、漏洩流量Ｑｌｅａｋが６０リットル／分に満たないとき、３ミリリットルであり、漏洩流量Ｑｌｅａｋが６０リットル／分以上の場合に４ミリリットルであり、始動装置（トリガー）は宣言される。
【００６７】
患者が前記の基準により決定される非能動的呼気区域１０４になお存在する場合、即ち、患者流量が安定状態を満足するレベルにある場合、始動過程か否かの探索をステップ１２８で行う。これは、有効な始動過程が検出されたものとして表示されない場合、即ち始動過程フラッグが誤っている場合にのみ行われる。始動過程は、患者流量が増加しており、近位の圧力が減少している状態に相当する。
【００６８】
本発明の例示的な実施の形態では、有効な始動過程を検出することは、現在の処理周期ｎの間に下記の全ての３状態を満足することを要する：
１） Ｑｐａｔｉｅｎｔ（ｎ−１０）＞ＣｏｍｐＦｌｏｗ；
２） Ｐｐａｔｉｅｎｔ（ｎ−１０） £ １．２ ＊ 設定呼気終端陽圧又は０．５Ｈ２Ｏ（何れか大きい方）；
及び３） Ｑｐａｔｉｅｎｔ（ｎ）＞Ｑｐａｔｉｅｎｔ（ｎ−１０），及び［Ｐｐａｔｉｅｎｔ（ｎ−１０）−Ｐｐａｔｉｅｎｔ（ｎ）］＞０．３ｃｍＨ２Ｏ又は
Ｐｐａｔｉｅｎｔ（ｎ）＜０．８設定呼気終端陽圧
第１の状態は、現在の患者流量の前に患者流量５０ミリ秒がＣｏｍｐＦｌｏｗより大きいことを要する。第２の状態は、現在の患者圧力の前に患者圧力５０ミリ秒が、設定呼気終端陽圧又は０．５Ｈ２Ｏの何れか大きい方の１２０％以下であることを必要とする。第３の状態は、患者流量が増加しているべきで、即ち、Ｑｐａｔｉｅｎｔ（ｎ）＞Ｑｐａｔｉｅｎｔ（ｎ−１０）であり、かつ患者圧力が減少しているべきで、即ち、Ｐｐａｔｉｅｎｔ（ｎ−１０）−Ｐｐａｔｉｅｎｔ（ｎ）又は設定呼気終端陽圧の８０％未満であることを必要とする。前記の３状態が満足されれば、始動過程が宣言され、即ち、始動過程フラッグは、真にセットされる。何れの場合でも、始動過程の開始時の患者流量Ｑｐａｔｉｅｎｔ（ｎ−１０）は、基準流量Ｑｒｅｆとして設定され、始動過程の開始時の患者圧力Ｐｐａｔｉｅｎｔ（ｎ−１０）は、基準圧力Ｐｒｅｆとして設定される。前記３つの状態が満足されなければ、始動過程は宣言されず、即ち、始動過程フラッグは、偽に設定され、帰還ループ１３０で示すように、システムは、処理周期毎に始動過程に対し再チェックする。
【００６９】
現在の処理周期がステップ１２８に達したとき、既に検出されたものとして有効な始動過程が表示される場合、即ち、始動フラッグが真の場合に、次に、現在の処理周期では、現在の患者流量Ｑｐａｔｉｅｎｔ（ｎ）を基準流量Ｑｒｅｆと比較し、現在の患者圧力Ｐｐａｔｉｅｎｔ（ｎ）を基準圧力Ｐｒｅｆと比較する。このとき、Ｑｐａｔｉｅｎｔ（ｎ） ３ ＱｒｅｆかつＰｐａｔｉｅｎｔ（ｎ） £ Ｐｒｅｆであれば、始動装置（トリガー）５、６及び７の始動検査を行うことができる。
【００７０】
始動過程が真のままである限り、到達するステップ１３２では、動作ベースの始動装置（トリガー）５が作動開始される。始動装置（トリガー）５では、患者の流量差（Ｑｐａｔｉｅｎｔ−Ｑｒｅｆ）と圧力差（Ｐｒｅｆ−Ｐｐａｔｉｅｎｔ）との積を演算して、漏洩ベース閾値と比較し、有効なトリガーを決定する。好適な実施の形態では、この閾値は、１．０ｃｍＨ２Ｏ＊ミリリットル／秒である。その場合、積（Ｑｐａｔｉｅｎｔ−Ｑｒｅｆ）＊（Ｐｒｅｆ−Ｐｐａｔｉｅｎｔ）が１．０ｃｍＨ２Ｏ＊ミリリットル／秒より大きい場合、トリガーは宣言される。
【００７１】
このトリガーを検査するため、下記の状態に合致しなければならない。
１） Ｑｐａｔｉｅｎｔ ３ ＣｏｍｐＦｌｏｗ；
２） Ｐｐａｔｉｅｎｔ＜０．３ｃｍＨ２Ｏ又は１．２＊設定呼気終端陽圧（設定呼気終端陽圧の１２０％）の何れか大きい方；
及び３ａ） Ｑｐａｔｉｅｎｔ＞ＭｉｎＦｌｏＴ２，又は
３ｂ） 患者が非能動呼気区域にあることを確立する体積ベース安定性状態に合致した場合。
【００７２】
ステップ１３４では、人工呼吸システムは、下記の状態を検査することにより患者が静寂な呼気領域１０６にあるか否かを決定する：
１） Ｑｅｘｈａｕｓｔ＜Ｑｔｏｔａｌ＋５ ｌｐｍ；
２） Ｑｐａｔｉｅｎｔ＞ＣｏｍｐＦｌｏｗ；
３） 少なくとも、ＭｉｎＳｔＴｉｍｅに対し、体積差Ｖｏｌｕｍｅ Ｄｉｆｆｅｒｅｎｔｉａｌが安定したままである；
及び４） ５０ミリ秒にわたる体積差Ｖｏｌｕｍｅ Ｄｉｆｆｅｒｅｎｔｉａｌｓの絶対値の合計は、ベータＢｅｔａより小さい。
【００７３】
これらの状態に適合しない場合、システムは、帰還ループ１３６で示すように、処理周期毎に静寂な区域を再検査する。しかしながら、これらの状態の全てに合致する場合、患者は、静寂な呼気領域１０６にあると判断され、システムはステップ１３８に移行する。
【００７４】
前記のように既に作動開始された選択トリガーに加えて、ステップ１３８では、他の２つの動作ベーストリガーオプションの始動装置（トリガー）６と７とが始動開始される。これらの２つの動作ベーストリガーアルゴリズムは、２つの異なる患者流量推定法と時間尺度（タイムスケール）とを使用する推定された患者動作の測定法の比較に基づくので、ステップ１３８では、短期動作トリガー（始動装置６）及び長期趨勢変化ベース動作トリガー（始動装置７）が設けられる。特に、ステップ１３８では、１００ミリ秒にわたる異なる患者動作が漏洩ベース閾値（短期動作始動装置６）を超える場合に、トリガーは宣言される。また、ステップ１３８では、基準からの患者流量偏差と、基準（長期動作始動装置７）からの患者圧力偏差との積の時間積分値である蓄積された患者動作が漏洩バース動作閾値を超える場合、トリガーは宣言される。
【００７５】
始動装置（トリガー）６では、静寂な呼気が確立され（ステップ１３４）かつ始動過程が真を保持していれば、１００ミリ秒の時間領域にわたる推定患者動作（ＥＰＥ）を一定の閾値（シグマ）と比較する。推定患者動作がシグマに等しいか又はこれを超える場合、トリガーは宣言される。本発明の一実施の形態では、１００ミリ秒の時間間隔にわたる患者流量差ΔＱｐａｔｉｅｎｔと、フィルタを通過した、即ち遅延した圧力差ＦΔＰｐａｔｉｅｎｔとの積の合計として推定患者動作が決定される。
【００７６】
フィルタを通過させる目的は、前記のように、吸気開始時に圧力降下の開始と患者流量の増加との間に若干の遅延があるため、圧力差機能に使用される患者圧力を遅延させることにある。この遅延により、現在の患者流量に相当する患者圧力を使用して決定される患者圧力差を現在の患者流量に乗ずることができる。トリガー時間領域（ステップ１２８）の開始時の圧力基準Ｐｒｅｆと、現在の患者圧力Ｐｐａｔｉｅｎｔとの間で圧力差が測定される。
【００７７】
各処理周期、即ち５ミリ秒毎に推定患者動作が決定される。制御周期ｎでは、
【数７】
2004512065.tif 000014
ここで、
2004512065.tif 000015
Ｑｐａｔｉｅｎｔ（ｎ）は、現在の患者流量、Ｑｒｅｆはトリガー時間領域（ステップ１２８）の開始時の患者流量である。式（１２）は、推定患者動作演算の患者圧力成分内に遅延を導入するのに前記のように供給される圧力差ΔＰ（ｎ）のデジタルフィルタを表す。始動装置（トリガー）６のため、（ａ） Ｑｐａｔｉｅｎｔ＜０又は（ｂ）Ｑｐａｔｉｅｎｔ＜３ ｍｌ／ｓ及びＦΔＰｐａｔｉｅｎｔ＜０．２ｃｍＨ２Ｏの場合に、患者流量Ｑｐａｔｉｅｎｔは、零に設定される。
【００７８】
式（８）に関して前記のように患者流量を決定する場合、即ち、推定された患者流量Ｑ１ｐａｔｉｅｎｔは、あらゆる安定なバイアス流量又は漏洩流量を考慮し、又は例えば、漏洩流量又はバイアス流量がない場合、即ち、患者流量を患者で直接計測する場合、その後、式（１２）の基準流量Ｑｒｅｆは、効果的に零である。即ち、トリガー時間幅の開始時に基準流量を零でありかつシステムはこの基線又は零値からの増加のみを探索する必要があると仮定する。この場合、推定患者動作が下式で決定される。
【数８】
2004512065.tif 000016
ここで、式（８）からの前回の処理時間幅内で決定される患者流量Ｑ１ｐａｔｉｅｎｔ（ｐｒｉｏｒ）は、開始時間幅の開始時に零に等しく設定される。前記のように、式（１０）又は式（１４）の何れかを使用して決定されたＥＰＥ（ｎ）がシグマより大きいと、トリガーが宣言される。
【００７９】
始動装置（トリガー）７では、静寂な呼気状態の下で、開始過程が真として確立されるとき、トリガー過程が真のままである限り、（Ｑｐａｔｉｅｎｔ−Ｑｒｅｆ）＊（Ｐｒｅｆ−Ｐｐａｔｉｅｎｔ）の積は、各処理周期から蓄積される。稼動合計が１．５ｃｍＨ２Ｏ＊ミリリットル／秒に等しいかこれを越える場合、トリガーが宣言される。このように、比較的長期の患者運動動向は、始動現象に対し監視される。
【００８０】
４． 循環
本発明では、下記の２つの循環法の一つを使用して、呼吸周期の吸気段階から呼気段階への移行を企図する：１）患者流量と患者圧力との組合せに基づく運動ベース技術、及び２）現在の患者流量を閾値流量と比較することにより循環を決定する適応可能な流量ベース技術。本質的に、循環イベント機能は、人工呼吸器により患者流量を肺から排出すべきものである。例えば、患者が呼気運動を開始する時点で、排出流量制御要素６４の開放度を拡張又は増大することにより、人工呼吸器システム３０内でこれが達成される。
【００８１】
圧力の増加が続く流量の代数減少によって、周期イベントを示すことを除き、前記のように略記した動作ベース循環は本質的に始動装置（トリガー）５、６及び７と同一である。このように、特定の時間枠にわたり患者流量と患者圧力差との積を決定しかつ閾値呼気動作レベルと比較する前に、患者流量は、小時間係数だけ遅延する。
【００８２】
特に、前記始動装置（トリガー）５と同様の方法での循環過程は、患者流量差（Ｑｒｅｆ−Ｑｐａｔｉｅｎｔ）と患者圧力差（Ｐｐａｔｉｅｎｔ−Ｐｒｅｆ）とを決定する過程を含む。これらの差（Ｑｒｅｆ−Ｑｐａｔｉｅｎｔ）＊（Ｐｐａｔｉｅｎｔ−Ｐｒｅｆ）の積を決定し、閾値と比較して、有効な周期を決定する。臨床治験に基づいて経験的に閾値値を決定しかつ適用可能に作成して、患者の変更状態に一致させることが好ましい。
【００８３】
前記始動装置（トリガー）６と同様の方法の周期動作は、式（１１）と同様に、患者圧力差（Ｐｐａｔｉｅｎｔ−Ｐｒｅｆ）を決定する過程を含み、ここで、Ｐｐａｔｉｅｎｔは、現在の患者圧力、Ｐｒｅｆは、周期動作時間幅の開始時に決定される基準患者圧力である。また、式（１３）でなされるのと同様の患者流量差（Ｑｒｅｆ−Ｑｐａｔｉｅｎｔ）が決定されるが、ここで、Ｑｐａｔｉｅｎｔは、現在の患者流量、Ｑｒｅｆは、周期動作時間幅の開始時に決定される基準患者流量である。勿論、患者流量の決定に既に自動的にいかなるバイアス流量も無視しない場合又は補償すべき漏洩流量又はバイアス流量がある場合に、Ｑｒｅｆのみが使用される。
【００８４】
周期動作目的のために、システムは、周期動作時間幅の開始時に設定される基準圧力から圧力増加を探索することに注意しなければならない。従って、式（１１）でなされるように、ＰｒｅｆからＰｐａｔｉｅｎｔを差し引くのではなく、ＰｐａｔｉｅｎｔからＰｒｅｆを差し引いて、この患者圧力差を圧力増加を確実に表示できる。また、システムは、周期動作時間幅の開始時に設定される基準流量からの流量減少、即ち患者からの呼気流量の増加を探索する。従って、式（１３）でなされるように、ＱｐａｔｉｅｎｔからＱｒｅｆを差し引くのではなく、ＱｒｅｆからＱｐａｔｉｅｎｔを差し引く。
【００８５】
前記のように、周期動作／呼気運動決定目的のために、本発明では、患者流量を遅延させ、現在の患者圧力差と患者呼気運動としての遅延患者流量との積を決定する。例えば、１００ミリ秒の非常に短い時間間隔を通じて、５ミリ秒の処理周期毎に決定することが好ましい呼気運動が合計される。この短い時間間隔を通じて患者呼気運動の合計が、閾値を越える場合に、吸気流量の形成から排出組立体から呼吸用気体の呼気流量を形成するまでの循環が開始されれる。経験的にこの閾値を決定でき、かつ適応可能に作成して、患者の変更状態に合致させることができる。
【００８６】
より長期間呼気運動趨勢を探索をみる前記のように、始動装置（トリガー）７と同様の方法の周期動作は、患者流量差（Ｑｒｅｆ−Ｑｐａｔｉｅｎｔ）を決定する過程を含み、ここで、Ｑｐａｔｉｅｎｔは、現在の患者流量、Ｑｒｅｆは、周期動作時間幅の開始時に決定される基準患者流量である。循環目的のため、システムは、流量減少、即ち、周期動作時間幅の開始時に設定される基準流量から患者からの呼気流量の増加を探索することに注意を要する。従って、ＱｐａｔｉｅｎｔからＱｒｅｆを差し引くのではなく、ＱｒｅｆからＱｐａｔｉｅｎｔを差し引いて、この患者流量差が呼気流量を増加することを確実に表示する。
【００８７】
更に、システムは、患者圧力差（Ｐｐａｔｉｅｎｔ−Ｐｒｅｆ）を決定するが、ここで、Ｐｐａｔｉｅｎｔ第１の圧力信号からの現在の患者圧力、Ｐｒｅｆは、周期動作時間幅の開始時に決定される基準患者圧力であり、システムは、再び周期動作時間幅の開始時に決定される基準値より高い患者圧力の増加を探索する。患者の呼気運動は、患者流量差と患者圧力差との積として決定される。その時間間隔にわたる患者の呼気運動の合計が閾値を越える場合、始動装置（トリガー）７でなされるのと同様に、システムは、その時間間隔にわたる前記患者呼気運動を合計し続けて、周期を開始する。また、経験的に決定されるこの閾値を適応可能に作成できる。
【００８８】
適応可能な流量ベース技術の下では、周期閾値流量（ＣＴＦ）は、その呼吸に対するピーク流量の百分率として設定される。本発明の好適な実施の形態では、周期閾値流量は、ピーク吸気流量の３５％に初めに設定される。吸気段階の間の患者流量を監視して、この流量が一旦周期閾値流量より下に低下すれば、人工呼吸器が周期動作する。本発明の発明者は、その呼吸に対しその流量がピーク流量の３５％に低下しても患者が常に呼気を開始する可能性がないので、周期閾値流量レベルをこのレベルに固定できないことを認識した。従って、本発明の発明者は、周期閾値流量を動的に調整する方法を開発した。
【００８９】
周期閾値流量を適応させて、患者呼気運動に一層緊密に同期して、人工呼吸器を周期動作させるため、本発明では、呼気段階の終端での患者圧力Ｐｐａｔｉｅｎｔと、吸気段階の始端での患者流量Ｑｐａｔｉｅｎｔを監視する。患者流量が周期閾値流量に到達する前に、患者圧力の増加が開始する場合に、これは、患者が呼気を開始しかつ排出流量制御要素は、患者が自由に呼気できるようにまだ開放されなかったことを示す。換言すれば、人工呼吸器の周期動作は、患者が呼気を開始した後で遅すぎた。他方、人工呼吸器が周期動作し、患者からの患者流量が実質的にない場合、排出流量制御要素が開放した場合でも、これは、患者がまだ呼気を開始しなかったことを示す。換言すれば、人工呼吸器は、患者が呼気を開始する前に周期動作を早く始め過ぎた。本発明では、患者圧力及び流量を監視して、同期の前記エラーのどちらが発生したかを決定すると共に、次の呼吸の周期閾値流量を調整して、前の呼吸内の周期動作同期エラーを説明する。
【００９０】
人工呼吸器が遅過ぎて周期動作したか否かを決定するため、吸気段階の端部（Ｐｐａｔｉｅｎｔ（ｉｎｓｐ ｅｎｄ）（ｋ−１００Ｉ）の前に、吸気段階の端部での患者圧力Ｐｐａｔｉｅｎｔ（ｉｎｓｐ ｅｎｄ）（ｋ）と、例えば１００ミリ秒の時間での患者圧力とが得られる。Ｐｐａｔｉｅｎｔ（ｉｎｓｐ ｅｎｄ）（ｋ）＞Ｐｐａｔｉｅｎｔ（ｉｎｓｐ ｅｎｄ）（ｋ−１００）＋０．５ｃｍＨ２Ｏの場合、人工呼吸器の周期動作は遅過ぎた。本発明の好適な実施の形態では、これが発生するときに、周期閾値流量は、所定の量、例えば、２０％増加されるので、人工呼吸器は、次の呼吸周期内で直ちに周期動作を行う。
【００９１】
人工呼吸装置の周期動作が速過ぎたか否かを決定するため、呼気段階での初期部分の間の患者からの気体体積Ｖｅｘｐ（ｋ）を、先行する吸気段階での類似する期間の間に患者が吸入する気体の体積Ｖｉｎｓｐｔｈの例えば２５％のような百分率と比較する。人口呼吸装置の周期動作が速過ぎた場合に、呼気段階の初期部分の間での患者からの気体体積は先行する吸気段階での類似する期間の間に患者が吸入した気体体積より少ない。
【００９２】
本発明の好適な実施の形態では、呼気段階の最初の３００ミリ秒の間に患者が排出する気体の体積は下式で決定される：
【数９】
2004512065.tif 000017
吸気段階での３００ミリ秒の間に比例配分される患者の吸気体積推定量の２５％は下記のように決定される：
【数１０】
2004512065.tif 000018
ここで、Ｐｐａｔｉｅｎｔ（ｉｎｓｐ ｅｎｄ）は、吸気段階の期間を通じて平均患者圧力に相当すると思われる端部吸気圧力である。しかしながら、吸気段階の期間を通じて平均患者圧力を直接決定でき、概算値を使用する必要がないことを理解すべきである。本発明の好適な実施の形態では、値は下記のように決定される：
成人：　４０ ｍｌ≦Ｖｉｎｓｐｔｈ≦２００ ｍｌ
小児：　１０ ｍｌ≦Ｖｉｎｓｐｔｈ≦４０ ｍｌ
【００９３】
人工呼吸装置の周期動作が遅過ぎない場合、Ｖｅｘｐ（ｋ）は、Ｖｉｎｓｐｔｈと比較される。Ｖｅｘｐ（ｋ）は、排出される体積を表し、Ｖｉｎｓｐｔｈは吸入される体積を表すので、Ｖｅｘｐ（ｋ）とＶｉｎｓｐｔｈは反対の符号を有する。Ｖｅｘｐ（ｋ）の絶対値がＶｉｎｓｐｔｈの絶対値より小さければ、患者は、呼気動作を試みておらず、人口呼吸装置の周期動作は早過ぎる。この場合、周期閾値流量が予め決められた量、例えば１０％減少され、人工呼吸装置は、次の呼吸周期内で後に周期動作を行う。人工呼吸装置の周期動作が遅過ぎずかつＶｅｘｐ（ｋ）の絶対値がＶｉｎｓｐｔｈの絶対値より小さくなければ、周期閾値流量は不変である。
【００９４】
周期動作同期エラーに対する修正を人工呼吸装置が積極的にどのように試行するかに依存して、周期閾値流量が増加しかつ減少する量及び比率を変更することができる。しかしながら、例えば、その呼吸に対し、ピーク流量の３％と６０％との間で周期閾値流量を限定することが好ましい。呼気を試みている患者は、呼気の最初の３００ミリ秒内に測定可能な結果を生ずる可能性があるので、患者の流量／体積を監視する間に呼気段階の初期に３００ミリ秒の時間を使用し選択できる。
【００９５】
従来の周期動作技術を使用して周期動作を達成できることを理解すべきである。しかしながら、本発明の周期動作の選択の下で、患者への最大快適性に対し、前の呼吸から得られる状態に基づいて、周期動作基準を適用可能に変更することができる。
【００９６】
特定の閾値レベル及びタイミング等の前記始動動作媒介変数及び周期動作媒介変数を選択して、各患者のタイプ（成人、小児）、固有の変数及び不確定な測定値（ノイズ等）に対し、全て可能な肺媒介変数（レジスタンス（抵抗）、コンプライアンス）を通じてエスプリ人工呼吸装置に実施するときに、始動動作技術及び周期動作技術を有効に実施することができる。しかしながら、本発明は、所定の単数又は複数の目的を達成するため、好ましい最終目的及び最適化計画の推定に基づき、呼吸周期の間に本発明のアルゴリズム媒介変数を適用可能に変更することを企図することを理解すべきである。一方で呼吸動作を始動するのに要求される呼吸活動を最小化することに基づき及び他方で人工呼吸装置の自動周期動作（不正確な始動動作）を最小化することに基づいて、例えば、閾値等の始動動作性能を動的に最適化することができる。このように、この例に対し、自動周期動作を推定し又は監視しながら、動的プログラミング、神経網、ファジー論理等の従来の技術を使用して、呼吸毎に始動動作基準を調整することができる。自動周期動作の測定値が最小閾値に接近し又はこれを超えるとき、始動動作基準の調整により、方向又は重点を変更することもできる。
【００９７】
例えば、可能な範囲の肺機能、圧力測定値及び流量測定値の変化比率及び変化速度、供給される周期的体積に対する呼気体積の分析に基づき、自動周期動作を検出することができる。実行可能な一方法は、類似の呼吸設定値に対する周期的な体積の変化率を観測することにある。例えば、圧力制御された呼吸気体を供給しながら、人工呼吸装置の自動的な周期動作を早く行うほど、患者が呼気を行うのに十分な時間が得られず、より小さな吸気体積で同一の圧力レベルに達するので、連続的な呼吸に対し供給される周期的体積は小さくなる。
【００９８】
５．漏洩流量エラー補正及び表示
本発明の人工呼吸装置では、漏洩流量を正確に決定できない場合も発生することがある。これらの偶発性を説明するため、本発明では、現在の呼吸周期の間に及び／又は処理周期の間に決定される漏洩流量が有効か否かを検査し、処理周期の間の漏洩流量が有効でない場合でも、人工呼吸装置を確実に適正に操作する過程を実行する。特に、下記の論理アルゴリズムを実行して、処理周期の間に実際の漏洩流量が未決定のとき、漏洩係数ＬＦ及び周期閾値流量（ＣＴＦ）をリセット又は制御する。
【００９９】
この過程では、各処理周期の間に、その周期に対し決定される漏洩流量が有効か否かの検査が行われる。人工呼吸装置の一定バイアス流量で、排出流量Ｑｅｘｈａｕｓｔがバイアス流量より明確に少なければ、漏洩流量は無効と認められる。例えば、患者界面材がはずれて排出アセンブリ５６を通じて僅かな流量しか排出されていない場合にこれが発生する。本発明の好適な実施の形態では、（１）呼吸周期の呼気段階の間に排出流量Ｑｅｘｈａｕｓｔが１リットル／分より少ない場合又は（２）最悪でも推定される準拠性係数が極限閾値を越える場合に、現在の漏洩流量Ｑｌｅａｋ（ｎ）も無効と判断される。本発明の好適な実施の形態では、呼気段階の第１の２００ミリ秒制限区域の間に第１の状態は検査されない。
【０１００】
最悪の場合の推定される準拠性係数（Ｃｗｃ）は下記のように演算される。各吸気段階の間に患者に供給される最悪時全気体体積（ＷＣＴＶ）は、小児に対し８０リットル／分で成人に対し１００リットル／分の限界漏洩流量（Ｑｌｅａｋ， ｍａｘ）を仮定して演算される。この第１は、各処理周期（ｎ）の間に患者に供給される気体流量Ｑｄｅｌｉｖｅｒｅｄを限界漏洩流量Ｑｌｅａｋ， ｍａｘと比較して、その間の差ΔＱ（ｎ）を決定する過程を含む。換言すれば、各処理周期（ｎ）の間のΔＱ（ｎ）は下式により決定される。
【数１１】
2004512065.tif 000019
ここで、Ｑ（ｎ）ｄｅｌｉｖｅｒｅｄは、患者に供給される気体の全流量の合計に相当し、即ち、Ｑ（ｎ）ｄｅｌｉｖｅｒｅｄ＝Ｑｐｒｉｍａｒｙ＋Ｑｓｅｃｏｎｄａｒｙである。供給される流量ＱｄｅｌｉｖｅｒｅｄがＱｌｅａｋ， ｍａｘより少なければ、ΔＱ（ｎ）は零に設定される。その後、吸気期間にわたり各処理周期の間に決定されるＱｄｅｌｉｖｅｒｅｄとＱｌｅａｋ， ｍａｘとの再を合計することにより、最悪時全気体体積ＷＣＴＶを吸気周期にわたり決定する。即ち、ＷＣＴＶは、下式により決定される：
【数１２】
2004512065.tif 000020
ここで、ｎは処理周期、即ち、５ミリ秒時間間隔、Ｎは、呼吸周期の吸気期間内の処理周期の全数である。
【０１０１】
最悪時推定準拠性係数Ｃｗｃは下式により決定される：
2004512065.tif 000021
ここで、ＰＩＰは吸気ピーク圧力である。各吸気毎の終端で、最悪時推定準拠性係数Ｃｗｃが小児で１５０ミリリットル／ｃｍＨ２Ｏより大きく、成人で３００ミリリットル／ｃｍＨ２Ｏより大きければ、漏洩推定流量は無効と判断される。最悪時推定準拠性係数Ｃｗｃを比較する閾値は、小児に対し１５０ミリリットル／ｃｍＨ２Ｏ以外の値、成人に対し３００ミリリットル／ｃｍＨ２Ｏ以外の値を使用でき、本発明はこれらの特定値に限定されないことは理解されよう。
【０１０２】
第１のフラッグ（漏洩フラッグ１）及び第２のフラッグ（漏洩フラッグ２）を最初に真に設定する。その後、これらのフラッグの値を下記のように変更して、これらのフラッグの値に依存して、漏洩係数ＬＦ及び周期閾値流量（ＣＴＦ）を制御することができる。処理周期の間に無効漏洩流量に対する前記状態に適合する場合に、プロセッサは現在の漏洩流量の決定値を使用すべきでかいことを意味する漏洩フラッグ１＝偽及び漏洩フラッグ２＝偽として２つのフラッグの両方を偽に設定する。一方、無効漏洩に対する前記の状態に適合せず、漏洩流量が有効であれば、漏洩フラッグ１は真に設定される。この時点では、漏洩フラッグ２を必ずしも真に設定する必要がない点に注意すべきである。
【０１０３】
その後、人工呼吸装置は、患者が呼気段階にあるか否かを決定する。呼気段階にありかつ第２のフラッグ（漏洩フラッグ２）が偽で、第１のフラッグ（漏洩フラッグ１）が真の場合、患者は、トリガー目的に対し非能動的な呼気区域にあると判断され、漏洩係数は零に設定される。これにより、全呼吸周期の間に漏洩流量が有効でなかったとしても人工呼吸装置は適正にトリガーする。患者が呼気段階にありかつ第２のフラッグ（漏洩フラッグ２）が真の場合、漏洩流量エラー過程が継続し、第２のフラッグ（漏洩フラッグ２）はこの時点でリセットされない。
【０１０４】
患者が吸気段階にありかつ第１のフラッグ及び第２のフラッグが偽の場合に、周期閾値流量ＣＴＦは、ピーク流量の４５％に設定され、漏洩係数は、零に設定される。また、漏洩流量が無効と判断された場合に、バイアス流量基準は、成人に対し２０リットル／分に設定され、小児に対し１０リットル／分に設定される。無効漏洩に対する前記の状態に適合せず、漏洩流量が無効の場合に、第１のフラッグ（漏洩フラッグ１）は真に設定され、第２のフラッグも真に設定される。呼吸周期の吸気段階の間に第２のフラッグのみが真にリセットされるので、人工呼吸装置を有効にかつ強制的に作動して、人工呼吸装置がその漏洩流量データを使用する前に、有効な漏洩流量データに値する一つの全呼吸周期に補正する。
【０１０５】
本発明の例示的で好適な実施の形態では、推定される漏洩流量Ｑｌｅａｋは各呼吸毎に表示される。推定される漏洩流量が警報閾値を越える場合、高い漏洩警報が発生する。操作者が選択的にこの高い漏洩警報を設定できることが好ましい。
【０１０６】
ある動作速度で稼動するデジタル式プロセッサで実施する例として本発明を前記のようき説明しが。この動作速度を変更できることは理解されよう。この場合に、前記の演算に使用される特定の定数を必要に応じて変更できる。また、本発明は、デジタル式プロセッサの実施されることを要しないことを理解すべきである。これに対し、全システム又はシステムの構成部品を前記デジタル式（ディスクリート式）でなく、アナログ（連続的な）方式で実施することも可能である。勿論、アナログシステムでシステムの全部品又は一部の部品を実施するには前記技術を適当に修正する必要がある。
【０１０７】
最も実施に適しかつ好適な実施の形態であると現在認められるものに基づき図示の目的で本発明を詳細に説明したが、詳細な説明は、単に説明の目的に過ぎず、本発明は開示した実施の形態に限定されないのみならず、発明の精神及び特許請求の範囲に包含される修正及び均等の構成を含むものと理解すべきである。
【図面の簡単な説明】
【図１】本発明の始動及び循環技術を実装するのに適する人工呼吸器システムのブロック図
【図２】正常で自発的な２つの呼吸周期の典型的な患者流量を示す波形図
【図３】本発明の原則に従い、図１の人工呼吸器システムにより実行される典型的始動過程の間に発生する患者流量及び患者圧力を示す波形
【図４】図１の人工呼吸器システムにより実行される始動過程のフローチャート
【符号の説明】
（３０）・・患者呼吸用気体流供給システム、　（３２）・・気体流発生装置、　（３６）・・流量コントローラ（流量制御弁）、　（４６）・・コントローラ、　（３８）・・流量センサ、　（５０）・・患者管路、　（５２）・・第１のアーム、　（５４）・・第２のアーム、　（５６）・・排出アセンブリ、　（６０）・・圧力センサ、　（６４）・・流量コントローラ、　（６６）・・第２の気体流量システム、　（７０）・・流量センサ、
【図１】
2004512065.tif 000022
【図２】
2004512065.tif 000023
【図３】
2004512065.tif 000024
【図４】
2004512065.tif 000025
【国際公開パンフレット】
2004512065.tif 000026
2004512065.tif 000027
2004512065.tif 000028
2004512065.tif 000029
2004512065.tif 000030
2004512065.tif 000031
2004512065.tif 000032
2004512065.tif 000033
2004512065.tif 000034
2004512065.tif 000035
2004512065.tif 000036
2004512065.tif 000037
2004512065.tif 000038
2004512065.tif 000039
2004512065.tif 000040
2004512065.tif 000041
2004512065.tif 000042
2004512065.tif 000043
2004512065.tif 000044
2004512065.tif 000045
2004512065.tif 000046
2004512065.tif 000047
2004512065.tif 000048
2004512065.tif 000049
2004512065.tif 000050
2004512065.tif 000051
2004512065.tif 000052
2004512065.tif 000053
2004512065.tif 000054
2004512065.tif 000055
2004512065.tif 000056
2004512065.tif 000057
2004512065.tif 000058
2004512065.tif 000059
2004512065.tif 000060
2004512065.tif 000061
2004512065.tif 000062
2004512065.tif 000063
2004512065.tif 000064
2004512065.tif 000065
2004512065.tif 000066
2004512065.tif 000067
2004512065.tif 000068
2004512065.tif 000069
2004512065.tif 000070
2004512065.tif 000071
2004512065.tif 000072
2004512065.tif 000073
2004512065.tif 000074
2004512065.tif 000075
2004512065.tif 000076
2004512065.tif 000077
2004512065.tif 000078
2004512065.tif 000079
2004512065.tif 000080
【国際調査報告】
2004512065.tif 000081
2004512065.tif 000082